(57)【特許請求の範囲】
【請求項１】
表示器と、
前記表示器に重ねて配置され、少なくとも所定の辺を備えるタッチパネルと、
前記所定の辺に沿って設けられた導電性部材と、
一端が前記導電性部材に電気的に接続され、他端が所定の電位に電気的に接続された可変抵抗器と、を備え、
前記可変抵抗器の抵抗値を切り替え可能である、
電子機器。
【請求項２】
請求項１に記載の電子機器であって、
前記所定の辺を、第１の辺とし、
前記導電性部材を、第１の導電性部材とし、
前記タッチパネルは、第２の辺を備え、
前記可変抵抗器を、第１の可変抵抗器とし、
前記第２の辺に沿って設けられた第２の導電性部材と、
一端が前記第２の導電性部材に電気的に接続され、他端が前記所定の電位に電気的に接続された第２の可変抵抗器と、を備え、
前記第１の可変抵抗器の抵抗値及び前記第２の可変抵抗器の抵抗値を切り替え可能である、
電子機器。
【請求項３】
請求項２に記載の電子機器であって、
前記第１の辺と前記第２の辺は、互いに向かい合う、
電子機器。
【請求項４】
請求項３に記載の電子機器であって、
前記タッチパネルは四角形であって、
前記第１の辺と前記第２の辺は、前記四角形において互いに向かい合う辺である、
電子機器。
【請求項５】
請求項４に記載の電子機器であって、
前記タッチパネルは長方形であって、
前記第１の辺と前記第２の辺は、前記長方形において互いに向かい合う長辺である、
電子機器。
【請求項６】
請求項２から請求項５のいずれか１項に記載の電子機器であって、
前記第１の可変抵抗器の抵抗値及び／又は前記第２の可変抵抗器の抵抗値は、操作状態に応じて切り替える、
電子機器。
【請求項７】
請求項６に記載の電子機器であって、
所定の操作状態では、前記第１の可変抵抗器の抵抗値を第１の抵抗値に設定し、前記第２の可変抵抗器の抵抗値を前記第１の抵抗値より大きい第２の抵抗値に設定する、
電子機器。
【請求項８】
請求項７に記載の電子機器であって、
前記所定の操作状態を、第１の操作状態とし
第２の操作状態では、前記第１の可変抵抗器の抵抗値を前記第２の抵抗値に設定し、前記第２の可変抵抗器の抵抗値を前記第１の抵抗値に設定する、
電子機器。
【請求項９】
請求項７に記載の電子機器であって、
前記所定の操作状態を、第１の操作状態とし
第２の操作状態では、前記第１の可変抵抗器の抵抗値を第３の抵抗値に設定し、前記第２の可変抵抗器の抵抗値を前記第３の抵抗値より小さい第４の抵抗値に設定する、
電子機器。
【請求項１０】
請求項７に記載の電子機器であって、
前記所定の操作状態を、第１の操作状態とし、
第３の操作状態では、前記第１の可変抵抗器の抵抗値及び前記第２の可変抵抗器の抵抗値を前記第２の抵抗値に設定する、
電子機器。
【請求項１１】
請求項７に記載の電子機器であって、
前記所定の操作状態を、第１の操作状態とし、
第３の操作状態では、前記第１の可変抵抗器の抵抗値を第５の抵抗値に設定し、前記第２の可変抵抗器の抵抗値を、前記第５の抵抗値の所定の倍率である第６の抵抗値に設定する、
電子機器。
【請求項１２】
請求項８から請求項１１のいずれか１項に記載の電子機器であって、
第４の操作状態では、前記第１の可変抵抗器の抵抗値を、少なくとも前記第２の抵抗値より大きい第７の抵抗値に設定し、前記第２の可変抵抗器の抵抗値を前記第７の抵抗値に設定する、
電子機器。
【請求項１３】
請求項８から請求項１１のいずれか１項に記載の電子機器であって、
第４の操作状態では、前記第１の可変抵抗器の抵抗値を、少なくとも前記第２の抵抗値より大きい第７の抵抗値に設定し、前記第２の可変抵抗器の抵抗値を、少なくとも前記第２の抵抗値より大きい第８の抵抗値に設定する、
電子機器。
【請求項１４】
請求項６から請求項１３のいずれか１項に記載の電子機器であって、
前記操作状態は、前記タッチパネルからの出力に基づいて検出する、
電子機器。
【請求項１５】
請求項６から請求項１４のいずれか１項に記載の電子機器であって、
電子機器本体の姿勢を検知する加速度センサーを更に備え、
前記操作状態は、前記加速度センサーからの出力に基づいて検出する、
電子機器。
【請求項１６】
請求項１から請求項１５のいずれか１項に記載の電子機器であって、
前記所定の電位は、接地電位である、
電子機器。
【請求項１７】
表示器と、
前記表示器に重ねて配置され、少なくとも所定の辺を備えるタッチパネルと、
前記所定の辺に沿って設けられた導電性部材と、
一端が前記導電性部材に電気的に接続され、他端が所定の電位に電気的に接続された可変抵抗器と、を備える電子機器において利用可能な抵抗値切り替え方法であって、
前記可変抵抗器の抵抗値を切り替え可能である、
抵抗値切り替え方法。
【発明の詳細な説明】
【技術分野】
【０００１】
本発明は、タッチパネル及び該タッチパネルを搭載した電子機器に関する。
【背景技術】
【０００２】
タッチパネルを用いた電子機器の一例が特許文献１，２に記載されている。周知の如く、タッチパネルは画像を表示する表示器（例えば、液晶表示器）に重ねて配置される。なお、タッチパネルは、保護ガラスとセンサー（ガラス、フィルム）とタッチパネルコントローラが一体になったものはタッチパネルモジュール、タッチパネルモジュールと表示器をまとめてタッチパネルユニットと呼ばれている。
【０００３】
特許文献１に記載された携帯電話は、ユーザが機器をどのように握ってもキー操作し易いように、ユーザが機器を握った部分をセンサーで検出し、その状況に応じて表示領域をシフトさせるものである。他方、特許文献２に記載されたタッチパネル付き表示装置は、該表示装置の駆動に起因するタッチパネルの誤検出を防止するために、タッチパネルのセンサー電極を１つずつ選択し、選択したセンサー電極に応じた位置に対する導体（指）の接触を判定するようにしたものである。
【先行技術文献】
【特許文献】
【０００４】
【特許文献１】日本国特開２０１０−１５４０９０号公報
【特許文献２】日本国特開２０１１−１７０７８４号公報
【発明の概要】
【発明が解決しようとする課題】
【０００５】
ところで、タッチパネルは、人の指で触れた場合に指紋が付着する等、汚れが生じてしまうという課題がある。この場合、手袋を装着することで指紋の付着を防止できるが、手袋を装着することで、操作性が悪化してしまう。これらの課題は、タッチパネルに指が接触することなく所定の範囲の高さでの操作（以下、この近接操作のことを“ホバー操作”と呼ぶ）を可能にした静電容量方式のタッチパネルを用いることで解決可能であるが、機器を手で持った状態でホバー操作を行った際に、持ち手がタッチパネルに近づくことでタッチパネルが反応してしまうといった新たな課題が生ずる。
【０００６】
ここで、静電容量方式のタッチパネルについて説明する。図４２は、静電容量方式のタッチパネルの概略構成を示す図である。同図において、板状の誘電体１００の下面に離間して送信電極１０１と受信電極１０２が配置されており、送信電極１０１には、駆動バッファ１０３から駆動パルスが印加される。駆動パルスが印加されたときに電界が発生する。この電界中に手が入ると、送信電極１０１と受信電極１０２の間の電気力線の数が減少する。電気力線の数の変化が受信電極１０２における電荷の変化として現れる。受信電極１０２における電荷の変化から、手のタッチパネルへの接近を検出することができる。
【０００７】
図４３は、タッチパネルに手を徐々に近づけたときの指の検出状態を示す図である。同図において、（ａ）は、手が電界から離れているときの状態である。（ｂ）は指が電界内に入ったときの指ホバー検出状態である。（ｃ）は指が電界内に完全に入ってタッチパネルに触れている指タッチ検出状態である。操作目的で指をタッチパネルに触れる場合は誤操作にはならないが、単に機器本体を手で持ったときに、指がタッチパネルに触れる場合は誤操作になってしまう。
【０００８】
本発明は、係る事情に鑑みてなされたものであり、静電容量方式のタッチパネルであって、機器本体を持ったときの持ち手部分の手の影響を抑えることができるタッチパネル及び該タッチパネルを搭載した電子機器を提供することを目的とする。
【課題を解決するための手段】
【０００９】
本発明のタッチパネルは、少なくとも一つの受信電極を有する第１のセンサーパネルと、少なくとも一つの送信電極を有し、前記第１のセンサーパネルに重ねて配置された第２のセンサーパネルと、前記一つの送信電極と少なくとも一部が重なっている所定の電極を有し、前記第２のセンサーパネルと重ねて配置された第３のセンサーパネルと、を備え、前記所定の電極に対して、前記一つの送信電極と同じ送信信号を印加することが可能である。なお、前記第1のセンサーパネルの表面に少なくとも一つの送信電極と裏面に受信電極、前記第２のセンサーパネルの裏面に送信電極を設けてもよい。
【００１０】
上記構成によれば、本タッチパネルを電子機器に用いることで、該電子機器が人によって把持されたことを検出することが可能となる。
【００１１】
上記構成において、前記第１のセンサーパネルが、前記第３のセンサーパネルを兼ねる。
【００１２】
上記構成によれば、第１のセンサーパネルが第３のセンサーパネルを兼ねることで、本タッチパネルのコストダウンが図れる。
【００１３】
上記構成において、前記所定の電極は、所定の一定電位にすることが可能である。
【００１４】
上記構成によれば、所定の電極をグランド電位又はＬｏｗレベルの電位にすることが可能である。
【００１５】
上記構成において、前記第１のセンサーパネルの面積で９０％以上が、前記第２のセンサーパネルと重なっている。
【００１６】
上記構成において、前記第３のセンサーパネルの面積で９０％以上が、前記第２のセンサーパネルと重なっている。
【００１７】
上記構成において、前記所定の電極は、前記タッチパネルの周部に配置されている。
【００１８】
上記構成によれば、本タッチパネルを電子機器に用いることで、該電子機器が人によって把持されたことを検出することが可能となる。
【００１９】
上記構成において、前記所定の電極の一部は、前記タッチパネルの中心を通る線において前記タッチパネルの端と前記中心を１対４に内分する点と前記タッチパネルの端との間に、配置された。
【００２０】
上記構成によれば、本タッチパネルを電子機器に用いることで、該電子機器が人によって把持されたことを検出することが可能となる。
【００２１】
上記構成において、前記中心は、前記タッチパネルの重心である。
【００２２】
上記構成において、前記所定の電極は、前記第３のセンサーパネルにおいて反応エリアの最外周に配置された。
【００２３】
上記構成によれば、本タッチパネルを電子機器に用いることで、該電子機器が人によって把持されたことを検出することが可能となる。
【００２４】
上記構成において、前記第３のセンサーパネルが四角形であり、前記所定の電極は、前記四角形の少なくとも１辺に沿って配置された。
【００２５】
上記構成によれば、本タッチパネルを電子機器に用いることで、該電子機器が人によって把持されたことを検出することが可能となる。
【００２６】
上記構成において、前記四角形は長方形であり、前記所定の電極は、前記長方形の向かい合う２辺のそれぞれに沿って配置された。
【００２７】
上記構成によれば、本タッチパネルを電子機器に用いることで、該電子機器が人によって把持されたことを検出することが可能となる。
【００２８】
上記構成において、前記向かい合う２辺は、長辺である。
【００２９】
本発明のタッチパネルユニットは、タッチパネルモジュールとして保護ガラスと、上記タッチパネルと、タッチパネルコントローラが実装された基板が配置されたものと、前記タッチパネルモジュールと重ねて配置された表示器と、を有する。
【００３０】
上記構成によれば、本タッチパネルユニットを電子機器に用いることで、該電子機器が人によって把持されたことを検出することが可能となる。
【００３１】
本発明の電子機器は、上記タッチパネルユニットを有し、前記所定の電極に対して、前記一つの送信電極と同じ送信信号を印加する状態で、所定の条件が検出された場合、前記所定の電極に対して前記一つの送信電極と同じ送信信号を印加することを停止する。
【００３２】
上記構成によれば、本電子機器が人によって把持されたことを検出することが可能となる。
【００３３】
上記構成において、前記所定の電極に対して、前記一つの送信電極と同じ送信信号を印加する状態で、所定の条件が検出された場合、前記所定の電極は、所定の一定電位になる。
【００３４】
上記構成において、前記所定の条件は、人によって把持されたことを検出したことである。
【００３５】
上記構成において、前記所定の電極に対して、前記一つの送信電極と同じ送信信号を印加する状態においては、前記表示器は所定の表示を行い、前記所定の電極に対して前記一つの送信電極と同じ送信信号を印加しない状態においては、前記表示器は前記所定の表示を行わない。
【００３６】
上記構成によれば、本電子機器が人によって把持されたことを検出可能状態であることを視覚認識させることができる。
【００３７】
本発明の送信信号印加方法は、少なくとも一つの受信電極を有する第１のセンサーパネルと、少なくとも一つの送信電極を有し、前記第１のセンサーパネルに重ねて配置された第２のセンサーパネルと、前記一つの送信電極と少なくとも一部が重なっている所定の電極を有し、前記第２のセンサーパネルと重ねて配置された第３のセンサーパネルと、を備えるタッチパネルにおいて利用可能な送信信号印加方法であって、前記所定の電極に対して、前記一つの送信電極と同じ送信信号を印加することが可能である。
【００３８】
上記方法によれば、本タッチパネルを電子機器に用いることで、該電子機器が人によって把持されたことを検出することが可能となる。
【００３９】
本発明のタッチパネルは、少なくとも一つの受信電極を有する第１の面と、少なくとも一つの送信電極を有し、前記第１の面に重ねて配置された第２の面と、前記一つの送信電極と少なくとも一部が重なっている所定の電極を有し、前記第２の面と重ねて配置された第３の面とを有する、少なくとも一つのセンサーパネルを備え、前記所定の電極に対して、前記一つの送信電極と同じ送信信号を印加することが可能である。
【００４０】
上記構成によれば、本タッチパネルを電子機器に用いることで、該電子機器が人によって把持されたことを検出することが可能となる。
【００４１】
上記構成において、前記第１の面と前記第３の面とが同一面である。
【００４２】
上記構成によれば、第１の面用のセンサーパネルと第３の面用のセンサーパネルとを別々に設ける必要がなく、本タッチパネルのコストダウンが図れる。
【００４３】
本発明の送信信号印加方法は、少なくとも一つの受信電極を有する第１の面と、少なくとも一つの送信電極を有し、前記第１の面に重ねて配置された第２の面と、前記一つの送信電極と少なくとも一部が重なっている所定の電極を有し、前記第２の面と重ねて配置された第３の面とを有する、少なくとも一つのセンサーパネルを備えるタッチパネルにおいて利用可能な送信信号印加方法であって、前記所定の電極に対して、前記一つの送信電極と同じ送信信号を印加することが可能である。
【００４４】
上記方法によれば、本タッチパネルを電子機器に用いることで、該電子機器が人によって把持されたことを検出することが可能となる。
【００４５】
本発明の電子機器は、表示器と、前記表示器に重ねて配置されたタッチパネルと、を備え、前記タッチパネルは、指示体が当該タッチパネルに接していない場合に、少なくとも当該指示体と当該タッチパネルとの距離を検出可能である、電子機器であって、前記表示器は、前記距離が大きくなるに応じて、少なくとも３種類の文字を所定順番で切り換えて表示する。
【００４６】
上記構成によれば、指示体（例えば指やペン先）とタッチパネルとの距離が大きくなるに応じて、少なくとも３種類の文字を所定順番で切り換えて表示するので、簡単な操作で所望の文字を選択することができ、文字選択における操作性改善が図れる。
【００４７】
上記構成において、前記表示器は、前記距離が小さくなるに応じて、前記３種類の文字を、前記所定順番と逆の順番で切り換えて表示する。
【００４８】
上記構成によれば、指示体をタッチパネルに近づけたり、離したりすることで、所望の文字を選択することができ、文字選択における操作性改善が図れる。
【００４９】
上記構成において、前記表示器は、所定の表示領域を備え、前記タッチパネルは、前記指示体が当該タッチパネルに接していない場合に、少なくとも当該指示体と当該タッチパネルとの距離と、当該指示体の当該タッチパネル面上の座標とを検出可能であり、前記指示体が当該タッチパネルに接していない場合でかつ、前記座標が前記所定の表示領域内に対応する場合に、前記表示器は前記距離が大きくなるに応じて、少なくとも３種類の文字を所定順番で切り換えて表示する。
【００５０】
上記構成によれば、指示体がタッチパネルに接していない場合でかつ、当該指示体の当該タッチパネル面上の座標が所定の表示領域内に対応する場合に、指示体とタッチパネルとの距離が大きくなるに応じて、少なくとも３種類の文字を所定順番で切り換えて表示するので、簡単な操作で所望の文字を選択することができ、文字選択における操作性改善が図れる。
【００５１】
上記構成において、文字が切り換えて表示された後に、前記座標が前記所定の表示領域から外れた場合、所定の動作を行う。
【００５２】
上記構成によれば、文字の切り替えに関連する動作が可能となる。
【００５３】
上記構成において、前記所定の動作は、切り換えて表示された文字を選択する動作である。
【００５４】
上記構成によれば、文字の切り替えに関連する動作として、文字の選択が可能となる。
【００５５】
上記構成において、前記所定の表示領域を、第１の表示領域とし、前記表示器は、第２の表示領域を備え、前記第１の表示領域は、少なくとも１つあり、前記第２の表示領域は、少なくとも２つあり、前記２つの第２の表示領域は、それぞれ前記少なくとも３種類の文字を所定順番で切り換えて表示する。
【００５６】
上記構成によれば、少なくとも２つの表示領域のそれぞれにおいて、少なくとも３種類の文字を所定の順番で切り替えて表示するので、簡単な操作で所望の文字を選択することができ、文字選択における操作性改善が図れる。
【００５７】
上記構成において、前記座標が、少なくとも前記第１の表示領域内にある場合、前記表示器は前記距離が大きくなるに応じて、少なくとも３種類の文字を所定順番で切り換えて表示し、前記座標が、前記第１の表示領域から外れた場合、及び／又は、前記第２の表示領域に入った場合に、前記表示器は前記距離が変化しても前記文字を切り換えて表示しない。
【００５８】
上記構成によれば、タッチパネル面上の指示体の座標が、第１の表示領域から外れた場合や第２の表示領域に入った場合に、指示体との間の距離に変化があっても文字を切り換えて表示しないので、誤操作を低減でき、文字選択における操作性改善が図れる。
【００５９】
上記構成において、前記座標が、少なくとも前記第１の表示領域内にある場合、前記表示器は前記距離が大きくなるに応じて、少なくとも３種類の文字を所定順番で切り換えて表示し、前記座標が、前記第１の表示領域から外れた場合、及び／又は、前記第２の表示領域に入った場合、前記第２の表示領域は表示されている前記文字を継続して表示し、前記距離が変化しても前記文字を切り換えない。
【００６０】
上記構成によれば、タッチパネル面上の指示体の座標が、第１の表示領域から外れた場合や第２の表示領域に入った場合に、第２の表示領域に表示している文字を継続して表示し、指示体との間の距離に変化があっても文字を切り換えないので、誤操作を低減でき、文字選択における操作性改善が図れる。
【００６１】
上記構成において、前記タッチパネルは、前記指示体の接触と、前記指示体が当該タッチパネルに接触した場合に、該指示体の当該タッチパネル面上の座標とを検出可能であり、前記文字が継続して表示されている場合に、前記タッチパネルが、少なくとも接触を検出した場合、前記接触した場合の座標に対応する前記第２の表示領域に、前記継続して表示されている文字が、確定されたとする。
【００６２】
上記構成によれば、第２の表示領域に文字を継続して表示しているときに、指示体のタッチパネルへの接触を検出した場合、第２の表示領域に継続して表示している文字を確定するので、選択した文字を容易に確定することができ、文字選択における操作性改善が図れる。
【００６３】
上記構成において、前記接触した場合の座標に対応する前記第２の表示領域とは、前記接触した場合の座標により近い第２の表示領域である。
【００６４】
上記構成において、前記接触した場合の座標に対応する前記第２の表示領域とは、前記接触した場合の座標が含まれる第２の表示領域である。
【００６５】
上記構成において、前記表示器は、入力領域を備え、前記入力領域は、選択された文字が入力される。
【００６６】
上記構成において、前記３種類の文字と、前記所定順番は、少なくともアルファベットの「Ａ」「Ｂ」「Ｃ」「Ｄ」「Ｅ」「Ｆ」「Ｇ」「Ｈ」「Ｉ」「Ｊ」「Ｋ」「Ｌ」「Ｍ」「Ｎ」「Ｏ」「Ｐ」「Ｑ」「Ｒ」「Ｓ」「Ｔ」「Ｕ」「Ｖ」「Ｗ」「Ｘ」「Ｙ」「Ｚ」「Ａ」「Ｂ」の中から連続した３つの種類と順番である。
【００６７】
上記構成において、前記３種類の文字と、前記所定順番は、少なくとも数字の「１」「２」「３」「４」「５」「６」「７」「８」「９」「０」「１」「２」もしくは、「０」「１」「２」「３」「４」「５」「６」「７」「８」「９」「１０」「１１」の中から連続した３つの種類と順番である。
【００６８】
上記構成において、前記３種類の文字と、前記所定順番は、少なくとも日本語の「あ」「か」「さ」「た」「な」「は」「ま」「や」「ら」「わ」「ん」「あ」「か」もしくは、「い」「き」「し」「ち」「に」「ひ」「み」「い」「り」「ゐ」「い」「き」の中から連続した３つの種類と順番である。
【００６９】
上記構成において、前記第２の表示領域は、少なくとも５つある。
【００７０】
上記構成において、筐体を備え、前記表示器は、前記筐体に配置された。
【００７１】
上記構成において、前記タッチパネルは、前記表示器より、前記筐体における外側に配置された。
【００７２】
本発明の文字表示方法は、表示器と、前記表示器に重ねて配置されたタッチパネルと、を備える電子機器において利用可能な文字表示方法であって、指示体と前記タッチパネルとの距離が大きくなるに応じて、少なくとも３種類の文字を所定順番で切り換えて表示する。
【００７３】
上記方法によれば、指示体（例えば指やペン先）とタッチパネルとの距離が大きくなるに応じて、少なくとも３種類の文字を所定順番で切り換えて表示するので、簡単な操作で所望の文字を選択することができ、文字選択における操作性改善が図れる。
【００７４】
本発明の電子機器は、人によって把持されたことを検知可能なセンサーと、振動部と、を備え、前記センサーが把持を検出した場合、前記振動部は振動可能となり、前記センサーが把持を検出しない場合、前記振動部は振動しない。
【００７５】
上記構成によれば、ユーザが電子機器を把持したことを検出した場合、振動部を振動可能状態にし、ユーザが電子機器を把持したことを検出しない場合は、振動部が振動しないようにしたので、ユーザが電子機器を把持して操作する場合、操作が行われたときに振動を発生させて、ユーザに操作を認識させることができる。また、電子機器を机等に置いて操作する場合は、操作が行われても振動が発生しないので、操作時の認識がし難くなることがない。つまり、電子機器を机等に置いた状態で操作した際には、机等の上で振動してしまい、操作時の認識がし難くなることがあるので、そのような場合には、操作が行われても振動が発生しないようにすれば、操作時の認識がし難くなることがない。
【００７６】
上記構成において、タッチパネルを備え、前記タッチパネルにおいて接触を検知した場合、前記振動部が所定時間振動する。
【００７７】
上記構成によれば、タッチパネルへの接触を検知した場合に、振動部を所定時間振動させるようにしたので、タッチパネルに対する操作が行われたことをユーザに確実に認識させることができる。
【００７８】
上記構成において、前記センサーは、前記タッチパネルである。
【００７９】
上記構成において、前記振動部は、バイブレータ、ピエゾアクチュエータ、及び振動アクチュエータの内の少なくとも１つである。
【００８０】
上記構成において、表示器を備え、前記センサーが把持を検出した場合で、かつ前記タッチパネルにおいて接触を検知した場合、前記振動部が所定時間、振動し、前記センサーが把持を検出しない場合で、かつ前記タッチパネルにおいて接触を検知した場合、前記振動部は振動せず、前記表示器が所定の表示を行う。
【００８１】
上記構成によれば、ユーザが電子機器を把持したことを検出した場合で、かつタッチパネルへの接触を検知した場合に、振動部を所定時間振動させるようにし、ユーザが電子機器を把持したことを検出しない場合で、かつタッチパネルへの接触を検知した場合に、振動部を振動させず、表示器に所定の表示をさせるので、ユーザが電子機器を把持してタッチパネルに対する操作を行ったときに振動を発生させて、ユーザに操作を認識させることができる。また、電子機器を机等に置いて操作する場合は、表示器にて所定の表示を行うので、ユーザに操作を認識させることができる。
【００８２】
上記構成において、表示器を備え、前記センサーが把持を検出した場合で、かつ前記タッチパネルにおいて接触を検知した場合、前記振動部が所定時間、振動し、前記センサーが把持を検出しない場合で、かつ前記タッチパネルにおいて接触を検知した場合、前記振動部は振動せず、前記表示器が所定の表示を所定時間、行う。
【００８３】
上記構成によれば、電子機器を机等に置いて操作する場合で、タッチパネルへの接触を検知した場合に、表示器における所定の表示を所定時間行うので、電子機器を机等に置いて操作する場合でも、タッチパネルに対する操作をユーザに確実に認識させることができる。
【００８４】
上記構成において、放音部を備え、前記センサーが把持を検出した場合で、かつ前記タッチパネルにおいて接触を検知した場合、前記振動部が所定時間、振動し、前記センサーが把持を検出しない場合で、かつ前記タッチパネルにおいて接触を検知した場合、前記振動部は振動せず、前記放音部が所定の音を発する。
【００８５】
上記構成によれば、電子機器を机等に置いて操作する場合で、タッチパネルへの接触を検知した場合に、放音部にて所定の音を発するので、電子機器を机等に置いて操作する場合でも、タッチパネルに対する操作をユーザに確実に認識させることができる。
【００８６】
上記構成において、放音部を備え、前記センサーが把持を検出した場合で、かつ前記タッチパネルにおいて接触を検知した場合、前記振動部が所定時間、振動し、前記センサーが把持を検出しない場合で、かつ前記タッチパネルにおいて接触を検知した場合、前記振動部は振動せず、前記放音部が所定の音を所定時間、発する。
【００８７】
上記構成によれば、電子機器を机等に置いて操作する場合で、タッチパネルへの接触を検知した場合に、放音部にて所定の音を所定時間発するので、電子機器を机等に置いて操作する場合でも、タッチパネルに対する操作をユーザに確実に認識させることができる。
【００８８】
本発明の振動制御方法は、人によって把持されたことを検知可能なセンサーと、振動部と、を備える電子機器において利用可能な振動制御方法であって、前記センサーが把持を検出した場合、前記振動部は振動可能となり、前記センサーが把持を検出しない場合、前記振動部は振動しない。
【００８９】
上記方法によれば、ユーザが電子機器を把持したことを検出した場合、振動部を振動可能状態にし、ユーザが電子機器を把持したことを検出しない場合は、振動部が振動しないようにしたので、ユーザが電子機器を把持して操作する場合、操作が行われたときに振動を発生させて、ユーザに操作を認識させることができる。また、電子機器を机等に置いて操作する場合は、操作が行われても振動が発生しないので、操作時の認識がし難くなることがない。つまり、電子機器を机等に置いた状態で操作した際には、机等の上で振動してしまい、操作時の認識がし難くなることがあるので、そのような場合には、操作が行われても振動が発生しないようにすれば、操作時の認識がし難くなることがない。
【００９０】
本発明の電子機器は、表示器と、前記表示器に重ねて配置され、少なくとも所定の辺を備えるタッチパネルと、前記所定の辺に沿って設けられた導電性部材と、一端が前記導電性部材に電気的に接続され、他端が所定の電位に電気的に接続された可変抵抗器と、を備え、前記可変抵抗器の抵抗値を切り替え可能である。
【００９１】
上記構成によれば、タッチパネルの導電性部材を設けた部分及びその周囲をシールドすることができ、このシールドの度合いは、可変抵抗器の抵抗値で変化し、該抵抗値が小さくなるに従い大きくなり、タッチパネルにおいて導電性部材周辺の感度が小さくなる。したがって、タッチパネルの導電性部材を設けた部分を手で把持した際に、可変抵抗器の抵抗値を小さくすることで、持ち手による影響（すなわち、タッチパネルが反応することによる誤動作）を抑制することが可能となる。
【００９２】
上記構成において、前記所定の辺を、第１の辺とし、前記導電性部材を、第１の導電性部材とし、前記タッチパネルは、第２の辺を備え、前記可変抵抗器を、第１の可変抵抗器とし、前記第２の辺に沿って設けられた第２の導電性部材と、一端が前記第２の導電性部材に電気的に接続され、他端が前記所定の電位に電気的に接続された第２の可変抵抗器と、を備え、前記第１の可変抵抗器の抵抗値及び前記第２の可変抵抗器の抵抗値を切り替え可能である。
【００９３】
上記構成によれば、タッチパネルの第１の導電性部材を設けた部分及びその周囲と、第２の導電性部材を設けた部分及びその周囲をそれぞれシールドすることができ、第１の導電性部材を設けた部分及びその周囲におけるシールドの度合いは、第１の可変抵抗器の抵抗値で変化し、第２の導電性部材を設けた部分及びその周囲におけるシールドの度合いは、第２の可変抵抗器の抵抗値で変化し、第１，第２の可変抵抗器それぞれの抵抗値を小さくするに従い大きくなり、タッチパネルの第１，第２の導電性部材を設けたそれぞれの部分及びそれぞれの部分の周囲における感度が小さくなる。したがって、タッチパネルの第１，第２の導電性部材を設けた部分を手で把持した際に、第１，第２の可変抵抗器それぞれの抵抗値を小さくすることで、持ち手による影響を抑制することが可能となる。
【００９４】
上記構成において、前記第１の辺と前記第２の辺は、互いに向かい合う。
【００９５】
上記構成において、前記タッチパネルは四角形であって、前記第１の辺と前記第２の辺は、前記四角形において互いに向かい合う辺である。
【００９６】
上記構成において、前記タッチパネルは長方形であって、前記第１の辺と前記第２の辺は、前記長方形において互いに向かい合う長辺である。
【００９７】
上記構成において、前記第１の可変抵抗器の抵抗値及び／又は前記第２の可変抵抗器の抵抗値は、操作状態に応じて切り替える。
【００９８】
上記構成によれば、例えば、左手で電子機器を把持し、右手で操作する場合、第１，第２の可変抵抗器それぞれの抵抗値を中程度の値に切り替えることで、片手で機器本体を把持したときのタッチパネルの影響を抑制することが可能となる。また、左手で電子機器を把持し、左親指等でタッチパネルを操作する場合、左手側の導電性部材に接続された可変抵抗器の抵抗値を小さな値に切り替えることで、左親指によるタッチパネルへの影響を抑制することが可能となる。また、右手で電子機器を把持し、右親指等でタッチパネルを操作する場合、右手側の導電性部材に接続された可変抵抗器の抵抗値を小さな値に切り替えることで、右親指によるタッチパネルへの影響を抑制することが可能となる。
【００９９】
上記構成において、所定の操作状態では、前記第１の可変抵抗器の抵抗値を第１の抵抗値に設定し、前記第２の可変抵抗器の抵抗値を前記第１の抵抗値より大きい第２の抵抗値に設定する。
【０１００】
上記構成によれば、片手（左手又は右手）で電子機器を把持し、把持した方の手の親指等でタッチパネルを操作する場合に、該親指等によるタッチパネルへの影響を抑制することが可能となる。
【０１０１】
上記構成において、前記所定の操作状態を、第１の操作状態とし、第２の操作状態では、前記第１の可変抵抗器の抵抗値を前記第２の抵抗値に設定し、前記第２の可変抵抗器の抵抗値を前記第１の抵抗値に設定する。
【０１０２】
上記構成によれば、操作状態が、第１の操作状態と第２の操作状態で切り替わるに応じて、第１の可変抵抗器と第２の可変抵抗器の抵抗値が変わるので、第１，第２のいずれの操作状態であってもタッチパネルへの影響を抑制することができる。
【０１０３】
上記構成において、前記所定の操作状態を、第１の操作状態とし、第２の操作状態では、前記第１の可変抵抗器の抵抗値を第３の抵抗値に設定し、前記第２の可変抵抗器の抵抗値を前記第３の抵抗値より小さい第４の抵抗値に設定する。
【０１０４】
上記構成によれば、片手（左手又は右手）で電子機器を把持し、把持した方の手の親指等でタッチパネルを操作する場合に、該親指等によるタッチパネルへの影響を抑制することが可能となる。
【０１０５】
上記構成において、前記所定の操作状態を、第１の操作状態とし、第３の操作状態では、前記第１の可変抵抗器の抵抗値及び前記第２の可変抵抗器の抵抗値を前記第２の抵抗値に設定する。
【０１０６】
上記構成によれば、片手（左手又は右手）で電子機器を把持し、把持した方の手とは反対の親指等でタッチパネルを操作する場合に、タッチパネルへの影響を抑制することが可能となる。
【０１０７】
上記構成において、前記所定の操作状態を、第１の操作状態とし、第３の操作状態では、前記第１の可変抵抗器の抵抗値を第５の抵抗値に設定し、前記第２の可変抵抗器の抵抗値を、前記第５の抵抗値の所定の倍率である第６の抵抗値に設定する。
【０１０８】
上記構成によれば、片手（左手又は右手）で電子機器を把持し、把持した方の手とは反対の親指等でタッチパネルを操作する場合に、タッチパネルへの影響を抑制することが可能となる。
【０１０９】
上記構成において、第４の操作状態では、前記第１の可変抵抗器の抵抗値を、少なくとも前記第２の抵抗値より大きい第７の抵抗値に設定し、前記第２の可変抵抗器の抵抗値を前記第７の抵抗値に設定する。
【０１１０】
上記構成によれば、第１，第２の導電性部材によるシールドの度合いが小さくなり、タッチパネルの第１，第２の導電性部材が設けられた部分とその周辺における感度が大きくなり、電子機器の据え置き状態での操作性向上が図れる。
【０１１１】
上記構成において、第４の操作状態では、前記第１の可変抵抗器の抵抗値を、少なくとも前記第２の抵抗値より大きい第７の抵抗値に設定し、前記第２の可変抵抗器の抵抗値を、少なくとも前記第２の抵抗値より大きい第８の抵抗値に設定する。
【０１１２】
上記構成によれば、第１，第２の導電性部材によるシールドの度合いが小さくなり、タッチパネルの第１，第２の導電性部材が設けられた部分とその周辺における感度が大きくなり、電子機器の据え置き状態での操作性向上が図れる。
【０１１３】
上記構成において、前記操作状態は、前記タッチパネルからの出力に基づいて検出する。
【０１１４】
上記構成によれば、タッチパネルからの出力に基づいて操作状態を検出することができる。
【０１１５】
上記構成において、電子機器本体の姿勢を検知する加速度センサーを更に備え、前記操作状態は、前記加速度センサーからの出力に基づいて検出する。
【０１１６】
上記構成によれば、加速度センサーからの出力に基づいて操作状態を検出することができる。
【０１１７】
上記構成において、前記所定の電位は、接地電位である。
【０１１８】
本発明の抵抗値切り替え方法は、表示器と、前記表示器に重ねて配置され、少なくとも所定の辺を備えるタッチパネルと、前記所定の辺に沿って設けられた導電性部材と、一端が前記導電性部材に電気的に接続され、他端が所定の電位に電気的に接続された可変抵抗器と、を備える電子機器において利用可能な抵抗値切り替え方法であって、前記可変抵抗器の抵抗値を切り替え可能である。
【０１１９】
上記方法によれば、タッチパネルの導電性部材を設けた部分及びその周囲をシールドすることができ、このシールドの度合いは、可変抵抗器の抵抗値で変化し、該抵抗値が小さくなるに従い大きくなり、タッチパネルにおいて導電性部材周辺の感度が小さくなる。したがって、タッチパネルの導電性部材を設けた部分を手で把持した際に、可変抵抗器の抵抗値を小さくすることで、持ち手による影響（すなわち、タッチパネルが反応することによる誤動作）を抑制することが可能となる。
【０１２０】
本発明の電子機器は、表示器と、前記表示器に重ねて配置され、指示体との間の距離を検出可能なタッチパネルと、を備え、前記表示器の所定の領域において前記距離が０以上かつ所定値以下になった後に、前記タッチパネルと前記指示体との距離が前記所定値より大きくなる場合、前記表示器は、前記タッチパネルと前記指示体との距離が変化するのに従って、前記所定の領域に関連する情報を変化させて表示する。
【０１２１】
上記構成によれば、タッチパネルと指示体との距離が変化するのに従って、表示器の所定の領域に関連する情報を変化させて表示するので、所望の情報を容易に選択することができ、文字入力の操作性向上が図れる。
【０１２２】
上記構成において、前記表示器は、前記タッチパネルと前記指示体との距離が大きくなるのに従って、前記所定の領域に関連する情報を変化させて表示する。
【０１２３】
上記構成によれば、タッチパネルと指示体との距離が大きくなるのに従って、表示器の所定の領域に関連する情報を変化させて表示するので、所望の情報を容易に選択することができ、文字入力の操作性向上が図れる。
【０１２４】
上記構成において、前記表示器は、前記タッチパネルと前記指示体との距離が大きくなるのに従って、前記所定の領域に関連する情報を拡大させて表示する。
【０１２５】
上記構成によれば、タッチパネルと指示体との距離が大きくなるのに従って、表示器の所定の領域に関連する情報を拡大させて表示するので、所望の大きさの情報を容易に選択することができ、文字入力の操作性向上が図れる。
【０１２６】
上記構成において、前記所定値は０である。
【０１２７】
上記構成において、前記表示器は、少なくとも一つのアイコンを表示可能であって、
前記所定の領域は、前記アイコンに対応する。
【０１２８】
上記構成によれば、表示器の所定の領域をアイコンに対応させたので、所定の領域が明白になり、文字入力の操作性向上が図れる。
【０１２９】
上記構成において、前記アイコンは、カーソルキーであり、前記カーソルキーに関連する情報は、前記カーソルキーに対応する入力文字候補である。
【０１３０】
上記構成によれば、アイコンをカーソルキーとし、該カーソルキーに関連する情報をカーソルキーに対応する入力文字候補とするので、文字入力の操作性向上が図れる。
【０１３１】
上記構成において、前記カーソルキーは、入力文字種を表示する。
【０１３２】
上記構成によれば、入力文字種として、かな文字、英字、数字等を表示するので、文字入力の操作性向上が図れる。
【０１３３】
上記構成において、前記入力文字候補は、テンキー形式で表示される。
【０１３４】
上記構成によれば、入力文字候補をテンキー形式で表示するので、文字入力の操作性向上が図れる。
【０１３５】
上記構成において、前記入力文字候補の大きさは、前記指示体を水平方向に移動させることで固定される。
【０１３６】
上記構成によれば、指示体を水平方向に移動させることで、入力文字候補の大きさを固定するので、文字入力の操作性向上が図れる。
【０１３７】
上記構成において、前記所定値を、第１所定値とし、前記表示器は、入力される文字を表示する入力文字表示領域を備え、前記大きさが固定された前記入力文字候補において前記距離が０以上かつ第２所定値以下になった場合、前記入力文字表示領域は、前記距離が０以上かつ前記第２所定値以下になった前記入力文字候補の文字を表示する。
【０１３８】
上記構成によれば、表示器は、入力文字候補を表示する所定の領域の他に、入力される文字を表示する入力文字表示領域を備えるので、文字入力と表示文字の確認のための視線移動が低減し、文字入力の操作性向上が図れる。
【０１３９】
上記構成において、前記入力文字表示領域は、前記距離が０以上かつ前記第２所定値以下になった前記入力文字候補の文字を含む文字列を表示し、前記文字列おいて前記距離が０以上かつ前記第２所定値以下になった場合、前記入力文字表示領域は、前記距離が０以上かつ前記第２所定値以下になった前記文字列の文字を表示する。
【０１４０】
上記構成によれば、タッチパネルと指示体との間の距離が０以上かつ第２所定値以下になった入力文字候補の文字を含む文字列を表示し、その後、さらに、タッチパネルと指示体との間の距離が０以上かつ第２所定値以下になった場合、当該距離が０以上かつ第２所定値以下になった文字列の文字を表示するので、文字列から所望の文字を簡単に選択することができ、文字入力の操作性向上が図れる。
【０１４１】
上記構成において、前記第２所定値は、前記第１所定値と同じ、或いは０である。
【０１４２】
本発明の表示方法は、表示器と、前記表示器に重ねて配置され、指示体との間の距離を検出可能なタッチパネルと、を備える電子機器において利用可能な表示方法であって、前記表示器の所定の領域において前記距離が０以上かつ所定値以下になった後に、前記タッチパネルと前記指示体との距離が前記所定値より大きくなる場合、前記表示器は、前記タッチパネルと前記指示体との距離が変化するのに従って、前記所定の領域に関連する情報を変化させて表示する。
【０１４３】
上記方法によれば、タッチパネルと指示体との距離が変化するのに従って、表示器の所定の領域に関連する情報を変化させて表示するので、所望の情報を容易に選択することができ、文字入力の操作性向上が図れる。
【０１４４】
上記方法において、前記所定値は０である。
【発明の効果】
【０１４５】
本発明によれば、静電容量方式のタッチパネルであって、機器本体を持ったときの持ち手部分の手の影響を抑えることができる。
【図面の簡単な説明】
【０１４６】
【図１】本発明の実施の形態１に係る電子機器の概観を示す斜視図
【図２】図１の電子機器の概略構成を示すブロック図
【図３】図１の電子機器のＡ−Ａ線断面図
【図４】図１の電子機器のタッチパネル部におけるカバーパネルと、受信センサーパネル及び送信センサーパネルと、液晶表示部との配置関係を示す斜視図
【図５】図１の電子機器のタッチパネル部の受信センサーパネルを示す平面視図
【図６】図１の電子機器のタッチパネル部の送信センサーパネルを示す平面視図
【図７】図１の電子機器の受信センサーパネルと送信センサーパネルが重ねて配置された状態を示す平面視図
【図８】図１の電子機器のタッチパネルコントローラの動作を示すタイミングチャート
【図９】図１の電子機器の受信センサーパネルにおける送信電極の配置位置を説明するための図
【図１０】（ａ），（ｂ）図１の電子機器において、人の手の近接を検出していない未検出時と人の手の近接を検出した時の液晶表示部の表示の変化を示す図
【図１１】図１の電子機器のタッチパネルコントローラの動作を説明するためのフローチャート
【図１２】図１の電子機器の応用例のタッチパネルコントローラの動作を示すタイミングチャート
【図１３】本発明の実施の形態２に係る電子機器の概観を示す正面図
【図１４】図１３の電子機器の概略構成を示すブロック図
【図１５】図１３の電子機器における英字入力操作を模式的に示した図
【図１６】（ａ）〜（ｃ）図１３の電子機器における英字入力操作を模式的に示した図
【図１７】図１３の電子機器におけるかな文字入力操作を模式的に示した図
【図１８】（ａ）〜（ｃ）図１３の電子機器におけるかな文字入力操作を模式的に示した図
【図１９】図１３の電子機器における文字入力時の指先とタッチパネル部との位置関係を示す図
【図２０】図１３の電子機器における文字入力時の指先とタッチパネル部との間の距離の時間的変化を示す図
【図２１】図１３の電子機器の文字入力処理を示すフローチャート
【図２２】本発明の実施の形態３に係る電子機器の概略構成を示すブロック図
【図２３】図２２の電子機器を手で持って操作している様子を示す図
【図２４】図２２の電子機器を机に置いて操作している様子を示す図
【図２５】図２２の電子機器における振動フィードバック素子の配置例を示す断面図
【図２６】図２２の電子機器の操作通知処理を示すフローチャート
【図２７】本発明の実施の形態４に係る電子機器の概略構成を示すブロック図
【図２８】図２７の電子機器における２つのシールドグランドの取り付け位置と、２つのシールドグランドと可変抵抗器との接続を示す斜視図
【図２９】図２７の電子機器の筐体においてシールドグランドが配置された部分の断面を示す図
【図３０】図２７の電子機器の持ち手状態の検出方法の一例を示す図
【図３１】図２７の電子機器の手持ち状態（すなわち把持状態）と各可変抵抗器の抵抗値の一例を示す図
【図３２】図２７の電子機器の持ち手検出処理を示すフローチャート
【図３３】加速度センサーを使用して持ち手状態を検出する電子機器の概略構成を示すブロック図
【図３４】本発明の実施の形態５に係る電子機器の概観を示す正面図
【図３５】図３４の電子機器の概略構成を示すブロック図
【図３６】図３４の電子機器のタッチパネルコントローラにおける指の検出方法を示す図
【図３７】図３６の指の検出方法において、指とタッチパネル部との間の距離の時間的変化を示す図
【図３８】図３４の電子機器における入力文字種の選択からテンキーサイズの選択までの操作を示す図
【図３９】図３４の電子機器における入力文字種の選択操作及びテンキーサイズの選択操作の手順を示すフローチャート
【図４０】図３４の電子機器における入力文字種の選択から文字入力までの操作を示す図
【図４１】図３４の電子機器の文字入力処理を示すフローチャート
【図４２】静電容量方式のタッチパネルを示す図
【図４３】タッチパネルに手を徐々に近づけたときの指の検出状態を示す図
【図４４】１０キーを有する電子機器におけるメール画面の一例を示す図
【発明を実施するための形態】
【０１４７】
以下、本発明を実施するための好適な実施の形態について、図面を参照して詳細に説明する。
【０１４８】
（実施の形態１）
図１は、本発明の実施の形態１に係る電子機器の概観を示す斜視図である。同図において、本実施の形態に係る電子機器１は、スマートフォンと呼ばれる携帯無線機であり、四角形状に形成された筐体２の前面側の上部にレシーバ３が設けられ、レシーバ３の下方に静電容量方式のタッチパネルモジュール６が設けられ、タッチパネルモジュール６の下方に３個のファンクションボタン７−１〜７−３が設けられている。
【０１４９】
図２は、本実施の形態に係る電子機器１の概略構成を示すブロック図である。同図に示す電子機器１において、前述したタッチパネルモジュール６は、タッチパネル部５と、その間で送信信号と受信信号の授受を行うタッチパネルコントローラ８とから構成されている。機器制御部９は、タッチパネルコントローラ８との間で座標信号の授受を行い、また液晶表示部４に表示信号を与える。タッチパネルユニット７は、液晶表示部４とタッチパネルモジュール６とから構成される。
【０１５０】
タッチパネルユニット７の液晶表示部４は、四角形状を成し、電子機器１を操作するための表示や画像等の表示に使用される。タッチパネル部５は、液晶表示部４と略同じ四角形を成し、液晶表示部４に重ねて配置される。液晶表示部４及びタッチパネル部５の形状を四角形とするが、それは長方形でもあっても良いし、正方形であっても良い。
【０１５１】
図３は、図１のＡ−Ａ線断面図である。同図は、タッチパネルユニット７の中央部分の断面を示している。タッチパネルユニット７のタッチパネル部５は、受信センサーパネル（第１のセンサーパネル）５−１と、送信センサーパネル（第２のセンサーパネル）５−２とから構成される。受信センサーパネル５−１の直上にはガラス材からなるカバーパネル２０が配置され、送信センサーパネル５−２の直下には液晶表示部４が配置される。また、液晶表示部４の直下にはバックライト部２１が配置され、バックライト部２１の直下には電池部２２が配置される。
【０１５２】
図４は、カバーパネル２０と、タッチパネル部５の受信センサーパネル５−１及び送信センサーパネル５−２と、液晶表示部４との配置関係を示す斜視図である。同図に示すように、カバーパネル２０、受信センサーパネル５−１、送信センサーパネル５−２、液晶表示部４の順で配置される。
【０１５３】
図５は、タッチパネル部５の受信センサーパネル５−１を示す平面視図である。同図に示すように、受信センサーパネル５−１は、四角形状に形成されており、その上端から下端に向けて水平方向に平行配置された複数の受信電極５−１ａと、左端側及び右端側のそれぞれに垂直方向に配置された２つの送信電極５−１ｂと、を有する。各受信電極５−１ａ及び各送信電極５−１ｂは菱形を成す複数の電極片Ｐで構成される。２つの送信電極５−１ｂそれぞれの先端に位置する電極片Ｐについては三角形を成している。
【０１５４】
図６は、タッチパネル部５の送信センサーパネル５−２を示す平面視図である。同図に示すように、送信センサーパネル５−２は、受信センサーパネル５−１と同様に四角形状に形成されており、その左端から右端（又はその逆でも構わない）に向けて、垂直方向に平行配置された複数の送信電極５−２ｃを有する。各送信電極５−２ｃは、受信センサーパネル５−１の各受信電極５−１ａ及び各送信電極５−１ｂと同様に菱形を成す複数の電極片Ｐで構成される。なお、送信電極５−２ｃそれぞれの先端に位置する電極片Ｐについては三角形を成している。
【０１５５】
図７は、受信センサーパネル５−１と送信センサーパネル５−２が重ねて配置された状態を示す平面視図である。同図に示すように、受信センサーパネル５−１と送信センサーパネル５−２を重ねて配置することで、受信センサーパネル５−１の左端側及び右端側それぞれの送信電極５−１ｂと送信センサーパネル５−２の左端側及び右端側それぞれの送信電極５−２ｃが重なり、その他の電極同士は重なることはなく、縦横交互に配置される。
【０１５６】
なお、本実施の形態に係る電子機器１では、受信センサーパネル５−１の面積で９０％以上が、送信センサーパネル５−２と重なるようにしている。また、受信センサーパネル５−１と送信センサーパネル５−２が重なるエリアがタッチパネルモジュール６としての反応エリアとなる。受信センサーパネル５−１の２つの送信電極５−１ｂは反応エリアの最外周に配置される。この場合、タッチパネル部５の形状を長方形とすると、２つの送信電極５−１ｂは向かい合う２辺のそれぞれに沿って配置される。受信センサーパネル５−１の送信電極５−１ｂの数は、１つでも良いし、３つ以上でも良い。
【０１５７】
図２に戻り、タッチパネルコントローラ８は、送信センサーパネル５−２の全送信電極５−２ｃに対し、送信信号を印加する。この時の印加については、タッチパネルコントローラ８の制御により任意に印加する順番は変えることが可能である。よって、すべての送信信号を同期に送出することが可能である。左端に配置された送信電極５−２ｃから順に右端に配置された送信電極５−２ｃまで１つずつ送信信号を印加していく。また、タッチパネルコントローラ８は、左端に配置された送信電極５−２ｃと右端に配置された送信電極５−２ｃに送信信号を印加するときに、同じタイミングで受信センサーパネル５−１の左端側に配置された送信電極５−１ｂと右端側に配置された送信電極５−１ｂにも送信信号を印加する。すなわち、左端に配置された送信電極５−２ｃに送信信号を印加すると同時に左端側に配置された送信電極５−１ｂにも同じ送信信号を印加し、また右端に配置された送信電極５−２ｃに送信信号を印加すると同時に右端に配置された送信電極５−１ｂにも同じ送信信号を印加する。
【０１５８】
さらに、タッチパネルコントローラ８は、送信センサーパネル５−２の送信電極５−２ｃに送信信号を印加すると同時に、受信センサーパネル５−１の全受信電極５−１ａにて送信信号を検出する。すなわち、１つの送信電極５−２ｃに送信信号を印加すると同時に、上端側に配置された受信電極５−１ａから下端に配置された受信電極５−１ａまで順次送信信号を検出する。以下、検出した送信信号を受信信号と呼ぶ。
【０１５９】
図８は、タッチパネルコントローラ８の動作を示すタイミングチャートである。同図において、“ＴｘＡＣ１”は、受信センサーパネル５−１の左端側に配置された送信電極５−１ｂに印加する送信信号を示し、“Ｔｘ１”は、送信センサーパネル５−２の左端側に配置された送信電極５−２ｃに印加する送信信号を示し、“Ｒｘ１〜ｎ”は、受信センサーパネル５−１の全受信電極５−１ａで得られる受信信号を示す。また、“Ｔｘ２”は、送信センサーパネル５−２の左端から２番目に配置された送信電極５−２ｃに印加する送信信号を示し、“Ｔｘｎ”は、送信センサーパネル５−２の右端側に配置された送信電極５−２ｃに印加する送信信号を示し、“ＴｘＡＣ２”は、受信センサーパネル５−１の右端側に配置された送信電極５−１ｂに印加する送信信号を示す。
【０１６０】
図８に示すように、送信センサーパネル５−２の全送信電極５−２ｃに対して、１つずつ順番に送信信号を印加する毎に、受信センサーパネル５−１の全受信電極５−１ａで受信する。ここで、送信センサーパネル５−２の左端側に配置された送信電極５−２ｃに送信信号が印加されるときは、受信センサーパネル５−１の左端側に配置された送信電極５−１ｂにも同じ送信信号が印加される。また、送信センサーパネル５−２の右端側に配置された送信電極５−２ｃに送信信号が印加されるときは、受信センサーパネル５−１の右端側に配置された送信電極５−１ｂにも同じ送信信号が印加される。但し、この場合は、人の手を検出していない未検出時すなわち人の手が未検出エリアにあるときの動作であり、人の手を検出したときすなわち人の手が近接検出エリアに入ったときは、受信センサーパネル５−１の左端側と右端側に配置された２つの送信電極５−１ｂに送信信号が印加されず、グランド電位となる。
【０１６１】
送信センサーパネル５−２の左端側に配置された送信電極５−２ｃと受信センサーパネル５−１の左端側に配置された送信電極５−１ｂの双方に送信信号が印加された場合、電界が強くなる感度アップされた状態となり、人の手の近接を高感度で検出することが可能となる。逆に、受信センサーパネル５−１の左端側に配置された送信電極５−１ｂに送信信号が印加されなくなった場合、該送信電極５−１ｂが送信センサーパネル５−２の左端側に配置された送信電極５−２ｃの電界を阻害するので、感度ダウンした状態となる。感度ダウンすることで、電子機器１を手で持った際に、タッチパネル部５の左右両端部分に指が触れても操作として認識しないようにできる。このことは、送信センサーパネル５−２の右端側に配置された送信電極５−２ｃと受信センサーパネル５−１の右端側に配置された送信電極５−１ｂの双方に送信信号が印加された場合も同様である。
【０１６２】
このように、受信センサーパネル５−１の２つの送信電極５−１ｂは、電子機器１を手で持った際に、タッチパネル部５の左右両端部分に指が近づいても機器制御部９が操作として認識しないようにするために設けたものである。なお、この２つの送信電極５−１ｂは、図９に示すように、タッチパネル部５の中心（例えば重心）を通る線においてタッチパネル部５の端とタッチパネル部５の中心を１対４に内分する点とタッチパネル部５の端との間に配置するのが望ましい。また、送信電極５−１ｂの数も左右それぞれ１つに限定されるものではなく、１つ以上であっても良い。
【０１６３】
機器制御部９は、上述した処理の他に、人の手の近接を検出していない未検出時に液晶表示部４に所定の表示をさせるための表示信号を出力し、人の手の近接を検出した時に当該表示信号の出力を停止する。このようにすることで、電子機器１のユーザに、タッチパネル部５の周縁部の感度がアップしていることを認識させることができる。
【０１６４】
図１０（ａ），（ｂ）は、人の手の近接を検出していない未検出時と人の手の近接を検出した時の液晶表示部４の表示の変化を示す図である。同図の（ａ）に示すように、人の手の近接を検出していない未検出時には液晶表示部４の周縁部に沿って帯状の表示３０（例えば、オレンジ色の表示）が行われる。人の手の近接を検出した時は、同図の（ｂ）に示すように、帯状の表示３０が行われなくなる。
【０１６５】
タッチパネル部５に人の手が近づくことで、近づいた箇所の受信センサーパネル５−１の受信電極５−１ａの受信信号が変化するので、機器制御部９は、受信信号が変化した受信電極５−１ａに対応する座標信号から手が近づいた箇所を特定する。
【０１６６】
タッチパネルコントローラ８と機器制御部９は、ＣＰＵ（Central Processing Unit）、ＲＯＭ（Read Only Memory）、ＲＡＭ（Random Access Memory）及びインタフェース回路で構成される。該ＲＯＭにはＣＰＵを制御するためのプログラムが記憶されており、該ＲＡＭはＣＰＵの動作において使用される。
【０１６７】
次に、本実施の形態に係る電子機器１の動作を説明する。
図１１は、本実施の形態に係る電子機器１のタッチパネルコントローラ８の動作を説明するためのフローチャートである。同図に示すフローチャートは、受信センサーパネル５−１の左端側に配置された送信電極５−１ｂ及び送信センサーパネル５−２の左端側に配置された送信電極５−２ｃのそれぞれに送信信号を印加する場合の動作を示している。
【０１６８】
タッチパネルコントローラ８は、まず受信センサーパネル５−１の左端側に配置された送信電極５−１ｂ及び送信センサーパネル５−２の送信電極５−２ｃに同じタイミングで送信信号ＴｘＡＣ１，Ｔｘ１を印加する（ステップＳ１）。送信信号ＴｘＡＣ１，Ｔｘ１の印加後、受信センサーパネル５−１の全受信電極５−１ａで受信した受信信号Ｒｘ１〜Ｒｘｎにて送信信号Ｔｘ１〜Ｔｘｎ，ＴｘＡＣ１を検出する（ステップＳ２）。送信信号Ｔｘ１〜Ｔｘｎ，ＴｘＡＣ１の検出後、受信信号Ｒｘ１〜Ｒｘｎをデジタル変換してＺ値を求める（ステップＳ３）。そして、求めたＺ値がＴｘＡＣ１切替閾値以上であるかどうか判定する（ステップＳ４）。ここで、ＴｘＡＣ１切替閾値とは、電子機器１が人によって把持されたときのＺ値に相当する値である。
【０１６９】
求めたＺ値がＴｘＡＣ１切替閾値未満の場合（すなわちステップＳ４の判定で「ＮＯ」の場合）、ステップＳ１に戻り、ＴｘＡＣ１切替閾値以上の場合（すなわちステップＳ４の判定で「ＹＥＳ」の場合）、受信センサーパネル５−１の左端側に配置された送信電極５−１ｂをグランド電位にして送信信号ＴｘＡＣ１を０レベルにし（ステップＳ５）、その後、本処理を終了する。
【０１７０】
なお、受信センサーパネル５−１の右端側に配置された送信電極５−１ｂ及び送信センサーパネル５−２の右端側に配置された送信電極５−２ｃのそれぞれに送信信号を印加する場合は、左端側を右端側に置き換えるとともに、送信信号ＴｘＡＣ１をＴｘＡＣ２に置き換えると良い。
【０１７１】
このように本実施の形態に係る電子機器１によれば、液晶表示部４と静電容量方式のタッチパネル部５とから構成されるタッチパネルユニット７と、タッチパネルモジュール６のタッチパネル部５との間で送信信号と受信信号の授受を行うタッチパネルコントローラ８と、タッチパネルコントローラ８との間で座標信号の授受を行い、また液晶表示部４に表示信号を与える機器制御部９とを備え、タッチパネル部５を、水平方向に平行配置された複数の受信電極５−１ａ及び左端側及び右端側のそれぞれに垂直方向に配置された２つの送信電極５−１ｂを有する受信センサーパネル５−１と、左端から右端に向けて垂直方向に平行配置された複数の送信電極５−２ｃを有する送信センサーパネル５−２とで構成し、送信センサーパネル５−２の送信電極５−２ｃと受信センサーパネル５−１の送信電極５−１ｂの双方に同じ送信信号を印加して、人の手の近接を高感度で検出し、人の手の近接を検出した後は、受信センサーパネル５−１の送信電極５−１ｂをグランド電位にして感度ダウンするようにしたので、電子機器１を持ったときの持ち手部分の手の影響を抑えることができる。
【０１７２】
なお、本実施の形態に係る電子機器１では、受信センサーパネル５−１を複数の受信電極５−１ａと２つの送信電極５−１ｂで構成したが、２つの送信電極５−１ｂを受信センサーパネル５−１とは別のパネル（第３のセンサーパネル）で構成するようにしても構わない。また、この第３のセンサーパネルは、その面積で９０％以上が、送信センサーパネル５−２と重なるようにすると良い。
【０１７３】
すなわち、本実施の形態に係る電子機器１では、受信センサーパネル５−１（第１のセンサーパネル）の表面（電子機器１における外側の面）に、複数の受信電極５−１ａと２つの送信電極５−１ｂで構成し、送信センサーパネル５−２（第２のセンサーパネル）の表面（電子機器１における外側の面）に複数の送信電極５−２ｃを構成したが、２つの送信電極５−１ｂを受信センサーパネル５−１とは別のパネル（第３のセンサーパネル）の表面（電子機器１における外側の面）に構成するようにしても構わない。
【０１７４】
更に、複数の受信電極５−１ａ、２つの送信電極５−１ｂ、及び、複数の送信電極５−２ｃは、１つ又は複数のセンサーパネルの表面（電子機器１における外側の面）又は裏面（電子機器１における内側の面）の、何れかに配置されていれば良い。例えば、受信センサーパネル５−１（第1のセンサーパネル）の表面（第１の面）に少なくとも一つの送信電極５−１ｂを、受信センサーパネル５−１の裏面（第２の面）に受信電極５−１ａを、送信センサーパネル５−２（第２のセンサーパネル）の裏面（第３の面）に送信電極５−２ｃを配置してもよい。
【０１７５】
また、本実施の形態に係る電子機器１では、図８のタイミングチャートに示すように、送信センサーパネル５−２の複数の送信電極５−２ｃに対して１つずつ順次送信信号を印加するようにしたが、図１２のタイミングチャートに示すように、送信センサーパネル５−２の複数の送信電極５−２ｃに対して一斉に同じタイミングで送信信号を印加するようにしても良い。
【０１７６】
また、本実施の形態に係る電子機器１では、図１１のフローチャートで示す処理を記述したプログラムをＲＯＭに持たせたが、当該プログラムを、磁気ディスク、光ディスク、光磁気ディスク、フラッシュメモリ等の記憶媒体に格納して配布したり、インターネット等のネットワーク上のサーバ（図示略）に保存するようにして、電気通信回線を利用してダウンロードできるようにしたりすることも可能である。
【０１７７】
（実施の形態２）
図１３は、本発明の実施の形態２に係る電子機器の概観を示す正面図である。同図において、本実施の形態に係る電子機器４０は、前述した実施の形態１に係る電子機器１と同様のスマートフォンと呼ばれる携帯無線機であり、四角形状に形成された筐体４１の前面側の上部にレシーバ４２が設けられ、レシーバ４２の下方に静電容量方式のタッチパネルモジュール４３が設けられている。また、タッチパネルモジュール４３の下方には、３個のファンクションボタン４４−１〜４４−３が設けられている。
【０１７８】
図１４は、本実施の形態に係る電子機器４０の概略構成を示すブロック図である。同図において、本実施の形態に係る電子機器４０は、前述したタッチパネルモジュール４３と、表示部４５と、機器制御部４６とを備える。タッチパネルモジュール４３は、タッチパネル部４７と、その間で送信信号と受信信号の授受を行うタッチパネルコントローラ４８とから構成される。機器制御部４６は、タッチパネルモジュール４３との間で座標信号の授受を行い、また表示部４５に表示信号を与える。表示部４５とタッチパネルモジュール４３はタッチパネルユニット４９を構成する。機器制御部４６とタッチパネルコントローラ４８は、ＣＰＵ、ＲＯＭ、ＲＡＭ及びインタフェース回路で構成される。該ＲＯＭにはＣＰＵを制御するためのプログラムが記憶されており、該ＲＡＭはＣＰＵの動作において使用される。
【０１７９】
表示部４５は、四角形状を成し、電子機器４０を操作するための表示や画像等の表示に使用される。表示部４５には、ＬＣＤ（Liquid Crystal Display）、有機ＥＬ（Electro Luminescence）又は電子ペーパーが用いられる。タッチパネル部４７は、表示部４５と略同じ四角形状を成し、表示部４５上に重ねて配置される。なお、表示部４５とタッチパネル部４７は、筐体４１の内側に配置されても、外側に配置されても良い。但し、いずれの場合もタッチパネル部４７は表示部４５より外側に配置される。また、本実施の形態に係る電子機器４０では、表示部４５及びタッチパネル部４７の形状を四角形とするが、それは長方形でもあっても良いし、正方形であっても良い。
【０１８０】
本実施の形態に係る電子機器４０は文字入力を可能としており、例えばＥメールを作成するアプリを起動させた場合、図１３に示すようなメール画面が表示され、このメール画面にて文字入力を行うことができる。図１３に示すメール画面には、宛先入力表示領域５０、件名入力表示領域５１、入力表示領域５２及び文字種選択キー表示領域５３があり、これらの表示領域５０〜５３がタッチパネル部４７に設定されている。入力表示領域５２の表示位置は固定で良いが、変化できるようにしても良い。文字種選択キー表示領域５３は、かな文字入力キー表示領域５３１、数字入力キー表示領域５３２、英字入力キー表示領域５３３、記号入力キー表示領域５３４及び絵文字入力キー表示領域５３５からなる。各表示領域５３１〜５３５の表示位置は固定で良いが、変化できるようにしても良い。タッチパネル部４７には、文字種選択キー表示領域５３に対して文字種選択キー５４が設定される。なお、かな文字入力キー表示領域５３１、数字入力キー表示領域５３２、英字入力キー表示領域５３３、記号入力キー表示領域５３４及び絵文字入力キー表示領域５３５の各々は、所定の表示領域及び第１の表示領域に対応する。
【０１８１】
文字種選択キー５４は、かな文字入力キー５４１、数字入力キー５４２、英字入力キー５４３、記号入力キー５４４及び絵文字入力キー５４５からなり、各キーを操作することで、かな文字、数字、英字、記号及び絵文字の入力ができる。この場合、件名に対して入力した文字は表示部４５の件名入力表示領域５１に表示され、文章を作成するために入力した文字は表示部４５の入力表示領域５２に表示される。文字種選択キー５４は、１０キーとしての機能を持っているので、１０キーを有する電子機器と比べて、入力表示領域５２を広くとることができる。なお、図４４は、１０キーを有する電子機器１２０におけるメール画面の一例を示す図である。同図に示すメール画面には、宛先入力表示領域１３０、件名入力表示領域１３１、入力表示領域１３２、１０キー入力表示領域１３３、文字種選択キー表示領域１３４及び絵・記・顔文字選択キー表示領域１３５等が設定されており、これらの表示領域に対し、１０キー１４０、文字種選択キー１４１及び絵・記・顔文字選択キー１４２を使用して文字入力を行う。１０キー１４０を有している分、入力表示領域１３２が小さくなる。
【０１８２】
図１３において、本実施の形態に係る電子機器４０では、文字種選択キー表示領域５３のかな文字入力キー表示領域５３１、数字入力キー表示領域５３２、英字入力キー表示領域５３３、記号入力キー表示領域５３４及び絵文字入力キー表示領域５３５の夫々に対し、ユーザの指やペン先等の指示体を近づけたり、遠ざけたりすることで、少なくとも３種類の文字（かな文字、数字、英字、記号及び絵文字のそれぞれ）を所定順番で切り換えて表示することができる。３種類の文字と、所定順番は、少なくともアルファベットの「Ａ」「Ｂ」「Ｃ」「Ｄ」「Ｅ」「Ｆ」「Ｇ」「Ｈ」「Ｉ」「Ｊ」「Ｋ」「Ｌ」「Ｍ」「Ｎ」「Ｏ」「Ｐ」「Ｑ」「Ｒ」「Ｓ」「Ｔ」「Ｕ」「Ｖ」「Ｗ」「Ｘ」「Ｙ」「Ｚ」「Ａ」「Ｂ」の中から連続した３つの種類と順番である。また、少なくとも数字の「１」「２」「３」「４」「５」「６」「７」「８」「９」「０」「１」「２」もしくは、「０」「１」「２」「３」「４」「５」「６」「７」「８」「９」「１０」「１１」の中から連続した３つの種類と順番である。また、少なくとも日本語の「あ」「か」「さ」「た」「な」「は」「ま」「や」「ら」「わ」「ん」「あ」「か」もしくは、「い」「き」「し」「ち」「に」「ひ」「み」「い」「り」「ゐ」「い」「き」の中から連続した３つの種類と順番である。
【０１８３】
少なくとも３種類の文字を所定順番で切り換えて表示することで、ユーザが所望の文字を選択することができる。ユーザは、所望の文字を選択した後、当該文字に触れることで（すなわち、タッチすることで）、当該文字が確定される。以下、一例を挙げて文字の選択・確定について説明する。
【０１８４】
（英字入力の場合）
図１５及び図１６（ａ）〜（ｃ）は、英字入力操作を模式的に示した図である。図１５及び図１６の（ａ）に示すように、文字種選択キー表示領域５３の英字入力キー表示領域（第１の表示領域）５３３に触れない程度（例えば、英字入力キー表示領域５３３の直上１ｍｍ）まで指先６０を近づけると、英字入力キー表示領域５３３から水平方向左側の各表示領域（第２の表示領域）５５０〜５５３に「Ａ，ａ，A，a」の各文字列が表示され、左斜め上方向側の各表示領域（第２の表示領域）５５４〜５５７に「Ｂ，ｂ，B，b」の各文字列が表示され、上方向側の各表示領域（第２の表示領域）５５８〜５６１に「Ｃ，ｃ，C，c」の各文字列が表示され、右斜め上方向側の各表示領域（第２の表示領域）５６２〜５６５に「Ｄ，ｄ，D，d」の各文字列が表示され、水平方向右側の各表示領域（第２の表示領域）５６６〜５６９に「Ｅ，ｅ，E，e」の各文字列が表示される。この場合、各文字列は、「全角大文字」、「全角小文字」、「半角大文字」、「半角小文字」となっている。なお、図１５及び図１６（ａ）〜（ｃ）では、第１の表示領域である英字入力キー表示領域５３３と第２の表示領域５５０〜５６９は近接しているが、離れていても良い。
【０１８５】
先頭文字「Ａ，Ｂ，Ｃ，Ｄ，Ｅ」の各英字候補が表示されている状態から、指先６０を上方に遠ざけて行くと、表示される英字候補が順次変化して行き、最終的に先頭文字「Ｖ，Ｗ，Ｘ，Ｙ，Ｚ」の各英字候補が表示される。この位置では、英字入力キー表示領域５３３から水平方向左側の各表示領域５５０〜５５３に「Ｖ，ｖ，V，v」の各文字列が表示され、左斜め上方向側の各表示領域５５４〜５５７に「Ｗ，ｗ，W，w」の各文字列が表示され、上方向側の各表示領域５５８〜５６１に「Ｘ，ｘ，X，x」の各文字列が表示され、右斜め上方向側の各表示領域５６２〜５６５に「Ｙ，ｙ，Y，y」の各文字列が表示され、水平方向右側の各表示領域５６６〜５６９に「Ｚ，ｚ，Z，z」の各文字列が表示される。
【０１８６】
先頭文字「Ｖ，Ｗ，Ｘ，Ｙ，Ｚ」の各英字候補が表示されている状態から、指先６０を逆方向に移動させると、すなわち英字入力キー表示領域５３３に近づけて行くと、表示される英字候補が逆方向に順次変化して行く。すなわち、先程とは逆の順で変化して行く。このようにして、指先６０を英字入力キー表示領域５３３に対して遠ざけたり、近づけたりすることで、表示される英字候補が順次変化し、所望の英字候補を選択することができる。
なお、指先６０と英字入力キー表示領域５３３との間の距離は、タッチパネル部４７との間の距離であるが、表示部４５との間の距離でも良いし、筐体４１との間の距離でも良い。
また、指先６０の操作に応じて順次変化する英字候補の順番が変わることはない。
また、先頭文字「Ｖ，Ｗ，Ｘ，Ｙ，Ｚ」の各英字候補が表示されるまで指先６０を離した後、さらに指先６０を離した場合、「Ａ，Ｂ，Ｃ，Ｄ，Ｅ」の各英字候補を再度表示するように、循環させるようにしてもよい。但し、指先６０を検出可能な距離までとなる。
【０１８７】
所望の英字候補を選択した後、選択した英字候補の表示領域（第２の表示領域）に触れることで（すなわち、タッチすることで）、選択した英字候補が確定される。例えば、全角大文字の「Ｅ」を確定する場合、図１６の（ｂ）に示すように、「Ｅ」が表示されている表示領域（第２の表示領域）まで指先６０を水平に移動させた後、図１６の（ｃ）に示すように、指先６０を「Ｅ」が表示されている表示領域５６６に触れる（すなわち、タッチする）。これにより、全角大文字の「Ｅ」が確定される。指先６０が英字入力キー表示領域５３３から外れて、選択した英字候補が表示されている表示領域５６６に入った場合、選択した英字候補が継続して表示され、当該表示領域から指先６０までの距離に変化があっても（すなわち指先を上下に変化させても）、英字候補の切り換えは行われない。
【０１８８】
なお、選択した英字候補を確定する場合、必ずしも指先６０を表示領域（第２の表示領域）の全域に当てる必要はなく、ある程度当たっていればよい。
また、指先６０の周囲に英字を表示する表示領域（第２の表示領域）を、５文字（例えば、Ａ，Ｂ，Ｃ，Ｄ，Ｅ）分（２０個）設けたが、５文字分以上設けても構わない。
【０１８９】
（かな文字入力の場合）
図１７及び図１８（ａ）〜（ｃ）は、かな文字入力操作を模式的に示した図である。図１７及び図１８の（ａ）に示すように、文字種選択キー表示領域５３のかな文字入力キー表示領域（所定の表示領域、第１の表示領域）５３１（この場合、かな文字入力キー表示領域５３１は、文字種選択キー表示領域５３の中央に位置しているものとする）に触れない程度（例えば、かな文字入力キー表示領域５３１の直上１ｍｍ）まで指先６０を近づけると、かな文字入力キー表示領域５３１の左隣りの表示領域５５０に「あ」が表示され、左斜め上側の表示領域５５４に「い」が表示され、上側の表示領域５５８に「う」が表示され、右斜め上側の表示領域５６２に「え」が表示され、右隣りの表示領域５６６に「お」が表示される。
【０１９０】
「あ，い，う，え，お」の各かな文字候補が表示されている状態から、指先６０を上方に遠ざけると（例えば、１ｍｍ上方へ遠ざけると）、「か，き，く，け，こ」の各かな文字候補が表示される。さらにこの位置から、指先６０を上方に遠ざけると（例えば、１ｍｍ上方へ遠ざけると）、「さ，し，す，せ，そ」の各かな文字候補が表示される。その後、継続して指先６０を上方に遠ざけて行くと、表示されるかな文字候補が順次変化して行く。そして、「わ，ゐ，う，ゑ，を」の各かな文字候補が表示された後、最後に「ん，あ，い，う，え」の各かな文字候補が表示される（「ん」を除く「あ，い，う，え」は再使用）。
【０１９１】
「ん，あ，い，う，え」の各かな文字候補が表示されている状態から、指先６０を逆方向に移動させると、すなわち指先６０をかな文字入力キー表示領域（所定の表示領域、第１の表示領域）５３１に近づけて行くと、表示されるかな文字候補が逆方向に順次変化して行く。すなわち、先程とは逆の順で変化して行く。このようにして、指先６０をかな文字入力キー表示領域（所定の表示領域、第１の表示領域）５３１に対して遠ざけたり、近づけたりすることで、表示されるかな文字候補が順次変化し、所望のかな文字候補を選択することができる。
なお、指先６０とかな文字入力キー表示領域５３１との間の距離は、タッチパネル部４７との間の距離であるが、表示部４５との間の距離でも良いし、筐体４１との間の距離でも良い。
また、指先６０の操作に応じて順次変化するかな文字候補の順番が変わることはない。
また、「ん，あ，い，う，え」の各かな文字候補が表示されるまで指先６０を離した後、さらに指先６０を離した場合、「あ，い，う，え，お」の各かな文字候補を再度表示するように、循環させるようにしてもよい。但し、指先６０を検出可能な距離までとなる。
【０１９２】
所望のかな文字候補を選択した後、選択したかな文字の表示領域（第２の表示領域）に触れることで（すなわち、タッチすることで）、選択したかな文字候補が確定される。例えば、「お」を確定する場合、図１８の（ｂ）に示すように、「お」が表示されている表示領域５６６まで指先６０を水平に移動させた後、図１８の（ｃ）に示すように、指先６０を「お」が表示されている表示領域５６６に触れる（すなわち、タッチする）。これにより、「お」が確定される。指先６０がかな文字入力キー表示領域５３１から外れて、選択したかな文字候補が表示されている表示領域（第２の表示領域）に入った場合、選択したかな文字候補が継続して表示され、当該表示領域から指先６０までの距離に変化があっても（すなわち指先を上下に変化させても）、かな文字候補の切り換えは行われない。
【０１９３】
なお、選択したかな文字候補を確定する場合、必ずしも指先６０を表示領域（第２の表示領域）の全域に当てる必要はなく、ある程度当たっていればよい。
また、指先６０の周囲にかな文字を表示する表示領域（第２の表示領域）を、５文字（例えば、あ，い，う，え，お）分（５個）設けたが、５文字分以上設けても構わない。
また、上記した平仮名表記の他に、片仮名表記やローマ字表記でも勿論可能である。
また、ローマ数字や漢数字でも同様にして表示・選択・確定を行うことができる。
さらに、英語以外の言語でも、その言語において表示・選択・確定を行うことができる。
【０１９４】
次に、本実施の形態に係る電子機器４０における指検出について説明する。
図１９は、文字入力時の指先６０とタッチパネル部４７との位置関係を示す図である。同図に示すように、指先６０からタッチパネル部４７までの距離ＺａがＺ０とＺ１の間にあれば、指先６０が検出される。この場合、指先６０のぶれを考慮して、所定時間内における距離の平均値として算出する。図２０は、文字入力時の指先６０とタッチパネル部４７との間の距離の時間的変化を示す図である。同図に示すように、Ｚ０とＺ１との間において、時刻ｔ１から時刻ｔ２までの間の距離の平均値を算出する。この距離の平均値がＺ０とＺ１の間にあれば、指先６０を検出する。
【０１９５】
次に、本実施の形態に係る電子機器４０の文字入力処理について説明する。
図２１は、本実施の形態に係る電子機器４０の文字入力処理を示すフローチャートである。なお、本処理は、主に機器制御部４６とタッチパネルコントローラ４８とで行われる。同図において、タッチパネルコントローラ４８は、タッチパネル部４７が指を検出したかどうか判定する（ステップＳ１１）。指を検出しない場合（すなわち、ステップＳ１１の判定で「Ｎｏ」と判断した場合）、指を検出するまで本判定を繰り返す。これに対し、指を検出した場合（すなわち、ステップＳ１１の判定で「Ｙｅｓ」と判断した場合）、検出した指の座標（Ｘ，Ｙ，Ｚ）を算出する（ステップＳ１２）。そして、算出した座標（Ｘ，Ｙ，Ｚ）を座標信号として機器制御部４６へ出力する。
【０１９６】
機器制御部４６は、タッチパネルコントローラ４８から出力された座標信号のＺ座標の信号値を比較する。ここでは、４つの信号値の範囲で比較するものとする。第１の信号値の範囲は“Ｚａ０＜Ｚ＜Ｚａ１”、第２の信号値の範囲は“Ｚｂ０＜Ｚ＜Ｚｂ１”、第３の信号値の範囲は“Ｚｃ０＜Ｚ＜Ｚｃ１”、第４の信号値の範囲は“Ｚｄ０＜Ｚ＜Ｚｄ１”であり、またこれらの範囲の大小関係は、第１の信号値の範囲＜第２の信号値の範囲＜第３の信号値の範囲＜第４の信号値の範囲である。かな文字入力の場合、第１の信号値の範囲は「あ，い，う，え，お」を選択する範囲であり、第２の信号値の範囲は「か，き，く，け，こ」を選択する範囲であり、第３の信号値の範囲は「さ，し，す，せ，そ」を選択する範囲であり、第４の信号値の範囲は「た，ち，つ，て，と」を選択する範囲である。かな文字の場合、五十音あるので、残りの文字に対して、「わ行」に対する第１０の信号値の範囲まで必要となる。但し、「ん」があるので、「い，う，え，お」を再使用すれば、第１１の信号値の範囲を追加する必要がある。
【０１９７】
機器制御部４６は、タッチパネルコントローラ４８から出力された座標信号のＺ座標の信号値が第１の信号値の範囲“Ｚａ０＜Ｚ＜Ｚａ１”にあると判断した場合（すなわち、ステップＳ１３の判定で「Ｙｅｓ」と判断した場合）、Ｚａの文字列の候補文字（「あ，い，う，え，お」）のうち、「あ」を、文字種選択キー表示領域５３のかな文字入力キー表示領域５３１の左隣りの表示領域５５０に表示し、「い」を、左斜め上側の表示領域５５４に表示し、「う」を、上側の表示領域５５８に表示し、「え」を、右斜め上側の表示領域５６２に表示し、「お」を、右隣りの表示領域５６６に表示する（ステップＳ１７）。
【０１９８】
一方、機器制御部４６は、タッチパネルコントローラ４８から出力された座標信号のＺ座標の信号値が第２の信号値の範囲“Ｚｂ０＜Ｚ＜Ｚｂ１”にあると判断した場合（すなわち、ステップＳ１４の判定で「Ｙｅｓ」と判断した場合）、Ｚｂの文字列の候補文字（「か，き，く，け，こ」）をかな文字入力キー表示領域５３１の周囲の各表示領域５５０，５５４，５５８，５６２，５６６に表示する（ステップＳ２１）。
【０１９９】
また、機器制御部４６は、タッチパネルコントローラ４８から出力された座標信号のＺ座標の信号値が第３の信号値の範囲“Ｚｃ０＜Ｚ＜Ｚｃ１”にあると判断した場合（すなわち、ステップＳ１５の判定で「Ｙｅｓ」と判断した場合）、Ｚｃの文字列の候補文字（「さ，し，す，せ，そ」）をかな文字入力キー表示領域５３１の周囲の各表示領域５５０，５５４，５５８，５６２，５６６に表示する（ステップＳ２５）。
【０２００】
また、機器制御部４６は、タッチパネルコントローラ４８から出力された座標信号のＺ座標の信号値が第４の信号値の範囲“Ｚｄ０＜Ｚ＜Ｚｄ１”にあると判断した場合（すなわち、ステップＳ１６の判定で「Ｙｅｓ」と判断した場合）、Ｚｄの文字列の候補文字（「た，ち，つ，て，と」）をかな文字入力キー表示領域５３１の周囲の各表示領域５５０，５５４，５５８，５６２，５６６に表示する（ステップＳ２９）。
【０２０１】
機器制御部４６がＺａの文字列の候補文字を表示した後、タッチパネルコントローラ４８が、指の座標（Ｘ，Ｙ）を再度算出する（ステップＳ１８）。この処理は、Ｚａの文字列の候補文字のうち、どの文字候補を選択したかを判定するために行われる。指の座標（Ｘ，Ｙ）を再度算出した後、候補文字座標とのずれの絶対値｜（Ｘ，Ｙ）−（Ｘａ，Ｙａ）｜が予め設定した検出閾値未満かどうか、すなわち、候補文字座標とのずれの絶対値｜（Ｘ，Ｙ）−（Ｘａ，Ｙａ）｜＜検出閾値かどうか判定する（ステップＳ１９）。この判定において、候補文字座標とのずれの絶対値｜（Ｘ，Ｙ）−（Ｘａ，Ｙａ）｜が検出閾値未満の場合、候補座標（Ｘａ，Ｙａ）を選択する（ステップＳ２０）。例えば、図１８の（ｂ）に示すように、指先６０が「お」の文字の位置又は隣接する位置にあるとすると、当該位置を候補座標（Ｘａ，Ｙａ）として選択する。このとき、（Ｘ，Ｙ）は、第２の表示領域５６６の座標である。候補文字座標とのずれの絶対値｜（Ｘ，Ｙ）−（Ｘａ，Ｙａ）｜が検出閾値以上の場合は、ステップＳ２３に進む。
【０２０２】
一方、タッチパネルコントローラ４８が、指の座標（Ｘ，Ｙ）を再度算出した場合（ステップＳ２２）、機器制御部４６は、候補文字座標とのずれの絶対値｜（Ｘ，Ｙ）−（Ｘｂ，Ｙｂ）｜が検出閾値未満かどうか、すなわち、候補文字座標とのずれの絶対値｜（Ｘ，Ｙ）−（Ｘｂ，Ｙｂ）｜＜検出閾値かどうか判定する（ステップＳ２３）。この判定において、候補文字座標とのずれの絶対値｜（Ｘ，Ｙ）−（Ｘｂ，Ｙｂ）｜が検出閾値未満の場合、候補座標（Ｘｂ，Ｙｂ）を選択する（ステップＳ２４）。候補文字座標とのずれの絶対値｜（Ｘ，Ｙ）−（Ｘｂ，Ｙｂ）｜が検出閾値以上の場合は、ステップＳ２７に進む。
【０２０３】
また、タッチパネルコントローラ４８が、指の座標（Ｘ，Ｙ）を再度算出した場合（ステップＳ２６）、機器制御部４６は、候補文字座標とのずれの絶対値｜（Ｘ，Ｙ）−（Ｘｃ，Ｙｃ）｜が検出閾値未満かどうか、すなわち、候補文字座標とのずれの絶対値｜（Ｘ，Ｙ）−（Ｘｃ，Ｙｃ）｜＜検出閾値かどうか判定する（ステップＳ２７）。この判定において、候補文字座標とのずれの絶対値｜（Ｘ，Ｙ）−（Ｘｃ，Ｙｃ）｜が検出閾値未満の場合、候補座標（Ｘｃ，Ｙｃ）を選択する（ステップＳ２８）。候補文字座標とのずれの絶対値｜（Ｘ，Ｙ）−（Ｘｃ，Ｙｃ）｜が検出閾値以上の場合は、ステップＳ３１に進む。
【０２０４】
また、タッチパネルコントローラ４８が、指の座標（Ｘ，Ｙ）を再度算出した場合（ステップＳ３０）、機器制御部４６は、候補文字座標とのずれの絶対値｜（Ｘ，Ｙ）−（Ｘｄ，Ｙｄ）｜が検出閾値未満かどうか、すなわち、候補文字座標とのずれの絶対値｜（Ｘ，Ｙ）−（Ｘｄ，Ｙｄ）｜＜検出閾値かどうか判定する（ステップＳ３１）。この判定において、候補文字座標とのずれの絶対値｜（Ｘ，Ｙ）−（Ｘｄ，Ｙｄ）｜が検出閾値未満の場合、候補座標（Ｘｄ，Ｙｄ）を選択する（ステップＳ３２）。候補文字座標とのずれの絶対値｜（Ｘ，Ｙ）−（Ｘｄ，Ｙｄ）｜が検出閾値以上の場合は、ステップＳ１１に戻る。
【０２０５】
機器制御部４６は、候補座標（Ｘａ，Ｙａ）、候補座標（Ｘｂ，Ｙｂ）、候補座標（Ｘｃ，Ｙｃ）及び候補座標（Ｘｄ，Ｙｄ）のうちいずれか１つを選択した後、選択した候補座標がタッチされたかどうか判定し（ステップＳ３３）、当該候補座標がタッチされなければ、ステップＳ１１に戻り、当該候補座標がタッチされた場合、当該候補座標の文字を確定する（ステップＳ３４）。文字を確定した後、本処理を終える。
【０２０６】
このように本実施の形態に係る電子機器４０によれば、指先６０がタッチパネル部４７に接していない場合に、指先６０と文字種選択キー表示領域５３の所定の表示領域（第１の表示領域、例えば英字入力キー表示領域５３３）との距離を検出し、指先６０と文字種選択キー表示領域５３の所定の表示領域との間の距離が大きくなるに応じて、複数種類の文字候補を所定順番で切り換えて表示し、指先６０と文字種選択キー表示領域５３の所定の表示領域との間の距離が小さくなるに応じて、複数種類の文字候補を、当該距離が大きくなるときの所定順番と逆の順番で切り換えて表示し、文字を切り換えて表示した後に、指先６０の座標が文字種選択キー表示領域５３の所定の表示領域から外れた場合、切り換えて表示された文字を選択する動作を行うので、指先６０をタッチパネル部４７の文字種選択キー表示領域５３の所定の表示領域に近づけたり、離したり、所定の領域から外して第２の表示領域に移動させるといった、簡単な操作で所望の文字を選択することができ、文字選択における操作性の改善が図れる。
【０２０７】
なお、本実施の形態に係る電子機器４０は、スマートフォンと呼ばれる携帯無線機であったが、この種の電子機器に限定されるものではなく、例えばＡＴＭ（Automated Teller Machine）等の据え置き型の電子機器であっても良い。
【０２０８】
また、本実施の形態に係る電子機器４０では、図２１のフローチャートで示す処理を記述したプログラムをＲＯＭに持たせたが、当該プログラムを、磁気ディスク、光ディスク、光磁気ディスク、フラッシュメモリ等の記憶媒体に格納して配布したり、インターネット等のネットワーク上のサーバ（図示略）に保存するようにして、電気通信回線を利用してダウンロードできるようにしたりすることも可能である。
【０２０９】
（実施の形態３）
図２２は、本発明の実施の形態３に係る電子機器の概略構成を示すブロック図である。なお、本実施の形態に係る電子機器７０は、前述した実施の形態１に係る電子機器１及び実施の形態２に係る電子機器４０と同様のスマートフォンと呼ばれる携帯無線機であり、概観はこれらと同様であることから概観図を省略し、説明上必要な場合に図１を援用することとする。
【０２１０】
図２２において、本実施の形態に係る電子機器７０は、タッチパネルモジュール７３と、表示部７５と、機器制御部７６と、振動フィードバック素子９０と、スピーカ９１とを備える。タッチパネルモジュール７３は、タッチパネル部７７と、その間で送信信号と受信信号の授受を行うタッチパネルコントローラ７８とから構成される。表示部７５は、ＬＣＤ、有機ＥＬ又は電子ペーパーを有し、電子機器７０を操作するための表示や画像等の表示を行う。機器制御部７６は、前述した実施の形態１に係る電子機器１の機器制御部９と同様の処理（すなわちタッチパネルコントローラ７８との間で座標信号の授受を行い、また表示部７５に表示信号を与える）を行い、さらに、この基本的な処理の他に、ユーザが電子機器７０の操作を行ったことをユーザに認識させるための表示、振動及び放音を行うための処理も行う。機器制御部７６は、この新たな処理を実現する手段として、把持判定部８０、フィードバック切替部８１及び視覚／聴覚フィードバック部８２を備えている。
【０２１１】
なお、タッチパネル部７７はセンサーに対応する。また、振動フィードバック素子９０は振動部に対応する。また、表示部７５及び視覚／聴覚フィードバック部８２は表示器を構成する。また、スピーカ９１及び視覚／聴覚フィードバック部８２は放音部を構成する。また、機器制御部７６とタッチパネルコントローラ７８は、ＣＰＵ、ＲＯＭ、ＲＡＭ及びインタフェース回路で構成される。該ＲＯＭにはＣＰＵを制御するためのプログラムが記憶されており、該ＲＡＭはＣＰＵの動作において使用される。
【０２１２】
把持判定部８０は、タッチパネルモジュール７３による近接検知により得られる座標信号を基に、電子機器７０がユーザに把持されているかどうかを判定する。この場合、ユーザが電子機器７０を把持することで、タッチパネルコントローラ７８から、タッチパネル部７７の周縁部の座標信号が出力される。把持判定部８０は、この座標信号を受信することで、電子機器７０がユーザに把持されていると判定する。把持判定部８０は、電子機器７０がユーザに把持されていると判定した場合で、タッチパネル部７７において接触が検知された場合、振動フィードバック素子９０を使用するための切替信号をフィードバック切替部８１に出力する。また、把持判定部８０は、電子機器７０がユーザに把持されていないと判定した場合で、タッチパネル部７７において接触が検知された場合は、表示部７５及びスピーカ９１を使用するための切替信号をフィードバック切替部８１に出力する。ここで、タッチパネル部７７における接触とは、タッチパネル上のアイコン等を選択するときに行われる接触のことである。
【０２１３】
このように、把持判定部８０は、電子機器７０がユーザに把持されている場合、振動フィードバック素子９０を選択し、その状態でタッチパネル上のアイコン等が選択された場合に、振動フィードバック素子９０を起動する。また、把持判定部８０は、電子機器７０がユーザに把持されていない場合、表示部７５及びスピーカ９１を選択し、その状態で、タッチパネル上のアイコン等が選択された場合に、表示部７５に所定の表示を行わせるとともに、スピーカ９１から所定の音を放音させる。
【０２１４】
フィードバック切替部８１は、振動フィードバック素子９０を使用するための切替信号を入力した場合、振動フィードバック素子９０を動作させる制御信号を所定時間継続して出力する。また、フィードバック切替部８１は、表示部７５及びスピーカ９１を使用するための切替信号を入力した場合、該切替信号を視覚／聴覚フィードバック部８２に出力する。振動フィードバック素子９０は、例えばバイブレータ、ピエゾアクチュエータ、振動アクチュエータであり、フィードバック切替部８１から制御信号が出力されている間、振動する。視覚／聴覚フィードバック部８２は、フィードバック切替部８１から出力された切替信号を入力した場合、表示部７５に対し、所定の表示をさせるための表示信号を所定時間継続して出力するとともに、スピーカ９１に対し、所定の音を出すための音声信号を所定時間継続して出力する。
【０２１５】
このように、ユーザが電子機器７０を把持し、タッチパネル部７７に接触した場合、振動フィードバック素子９０が振動する。この振動により、ユーザは操作したことを認識することができる。図２３は、ユーザが電子機器７０を手で持って操作しているときの様子を示す図である。同図に示すように、アイコン７０１に触れることで振動が発生する。
【０２１６】
一方、電子機器７０を机等に置いた状態で、タッチパネル部７７に接触した場合、振動フィードバック素子９０は振動せず、表示部７５に所定の表示が行われるとともに、スピーカ９１から所定の音が放音される。所定の表示及び所定の音の放音により、ユーザは、電子機器７０を机等に置いての操作と認識することができる。図２４は、電子機器７０を机１１０に置いて操作しているときの様子を示す図である。同図に示すように、アイコン７０１にタッチすることで、表示部７５に所定の表示７０２が表示されるとともに、スピーカ９１から所定の音（ピッピッ・・・）が放音される。
【０２１７】
図２５は、本実施の形態に係る電子機器７０における振動フィードバック素子９０の配置例を示す断面図である。なお、同図に示す断面図は、図３に示す実施の形態１の電子機器１のタッチパネルユニット７の断面図と同様に、タッチパネルユニット７９の中央部分の断面を示している。タッチパネルユニット７９のタッチパネル部７７は、受信センサーパネル７７−１と、送信センサーパネル７７−２とから構成される。受信センサーパネル７７−１の直上にはガラス材からなるカバーパネル２０が配置され、送信センサーパネル７７−２の直下には表示部７５が配置される。また、表示部７５の直下にはバックライト部２１が配置され、バックライト部２１の直下には電池部２２が配置される。振動フィードバック素子９０としてのバイブレータ９０ａ（又は振動アクチュエータ９０ｂ）は、電池部２２に隣接して配置され、ピエゾアクチュエータ９０ｃはカバーパネル２０の周縁部の直下に配置される。これらの各部材は、筐体７１に収容されている。なお、バイブレータ９０ａ（振動アクチュエータ９０ｂ）及びピエゾアクチュエータ９０ｃの配置はあくまでも一例である。また、バイブレータ９０ａ、振動アクチュエータ９０ｂ及びピエゾアクチュエータ９０ｃの全てを配置しても良いし、いずれか１つを配置しても良い。
【０２１８】
図２６は、本実施の形態に係る電子機器７０の操作通知処理を示すフローチャートである。同図において、把持判定部８０は、タッチパネルモジュール７３による近接検知による把持判定を行い（ステップＳ４１）、ユーザが電子機器７０を把持しているかどうか判定する（ステップＳ４２）。この判定において、ユーザが電子機器７０を把持していると判断した場合（すなわち、ステップＳ４２の判定で「ＹＥＳ」と判断した場合）、振動フィードバック素子９０を選択する（ステップＳ４３）。そして、タッチパネル上のアイコン等が選択されたときに、把持判定部８０は、フィードバック切替部８１に対して、振動フィードバック素子９０を使用するための切替信号を出力し、振動フィードバック素子９０を起動させる（ステップＳ４４）。
【０２１９】
一方、把持判定部８０は、ステップＳ４２の判定において、ユーザが電子機器７０を把持していないと判断した場合（すなわち、ステップＳ４２の判定で「ＮＯ」と判断した場合）、表示部７５及びスピーカ９１を選択する（ステップＳ４５）。そして、タッチパネル上のアイコン等が選択されたときに、把持判定部８０は、フィードバック切替部８１に対して、表示部７５及びスピーカ９１を使用するための切替信号を出力し、表示部７５に所定の表示を行わせるとともに、スピーカ９１から所定の音を放音させる（ステップＳ４６）。
【０２２０】
このように本実施の形態に係る電子機器７０によれば、ユーザが電子機器７０を把持し、タッチパネル部７７に接触した場合、振動フィードバック素子９０を振動させ、電子機器７０を机等に置いた状態で、タッチパネル部７７に接触した場合、振動フィードバック素子９０を振動させず、表示部７５に所定の表示を行わせるとともに、スピーカ９１から所定の音を放音させるので、ユーザは、電子機器７０を手で持って操作したことを認識できるとともに、机等に置いての操作も認識することができる。特に、振動、表示及び放音を所定時間継続して行うので、確実に認識させることができる。
【０２２１】
なお、本実施の形態に係る電子機器７０では、机等に置いて操作した場合に、所定の表示と所定の音の放音の両方を行うようにしたが、いずれか一方のみでも構わない。また、振動、表示及び放音を所定時間継続して行うようにしたが、必ずしも所定時間継続して行う必要はない。但し、所定時間継続して行うようにすることで認識率が向上することは言うまでもない。また、継続する時間も、振動、表示及び放音の全てにおいて同じ時間であっても良いし、それぞれ異なっていても良い。特に、表示時間を長くすることで視認性が向上する。
【０２２２】
また、本実施の形態に係る電子機器７０では、図２６のフローチャートで示す処理を記述したプログラムをＲＯＭに持たせたが、当該プログラムを、磁気ディスク、光ディスク、光磁気ディスク、フラッシュメモリ等の記憶媒体に格納して配布したり、インターネット等のネットワーク上のサーバ（図示略）に保存するようにして、電気通信回線を利用してダウンロードできるようにしたりすることも可能である。
【０２２３】
（実施の形態４）
図２７は、本発明の実施の形態４に係る電子機器の概略構成を示すブロック図である。なお、本実施の形態に係る電子機器１５０は、前述した実施の形態１に係る電子機器１、実施の形態２に係る電子機器４０及び実施の形態３に係る電子機器７０のそれぞれと同様のスマートフォンと呼ばれる携帯無線機であり、概観はこれらと同様であることから概観図を省略し、説明上必要な場合に図１を援用することとする。
【０２２４】
図２７において、本実施の形態に係る電子機器１５０は、タッチパネルモジュール７３と、表示部７５と、機器制御部１５１と、シールドグランド１５２，１５３と、可変抵抗器１５４，１５５とを備える。タッチパネルモジュール７３は、タッチパネル部（タッチパネル）７７と、その間で送信信号と受信信号の授受を行うタッチパネルコントローラ７８とから構成される。表示部（表示器）７５は、ＬＣＤ、有機ＥＬ又は電子ペーパーを有し、電子機器１５０を操作するための表示や画像等の表示を行う。
【０２２５】
機器制御部１５１は、前述した実施の形態１に係る電子機器１の機器制御部９と同様の処理（すなわちタッチパネルコントローラ７８との間で座標信号の授受を行い、また表示部７５に表示信号を与える）を行い、さらに、この基本的な処理の他に、ホバー操作時の持ち手による誤動作をシールドグランド１５２，１５３のインピーダンスを可変することで抑制する処理を行う。機器制御部１５１は、これらの処理を実行する手段として、タッチパネルコントローラ７８との間で座標信号の授受を行い、座標処理を行う座標処理部１６０と、表示部７５に表示信号を与える表示処理部１６１と、ユーザの電子機器１５０に対する持ち手を検出して可変抵抗器１５４，１５５の抵抗値を切り替える持ち手検出部１６２とを備えている。
【０２２６】
シールドグランド１５２，１５３は、タッチパネル部７７の対向する２辺に設けられる。図２８は、シールドグランド１５２，１５３の取り付け位置と、シールドグランド１５２，１５３と可変抵抗器１５４，１５５との接続を示す斜視図である。同図において、シールドグランド１５２，１５３は、タッチパネルユニット７９の対向する２辺１７０，１７１に設けられる。すなわち、長方形に形成されたタッチパネルユニット７９の長手方向の２辺の一方（第１の辺）１７０にシールドグランド（第１の導電性部材）１５２が設けられ、２辺の他方（第２の辺）１７１にシールドグランド（第２の導電性部材）１５３が設けられる。
【０２２７】
シールドグランド１５２には可変抵抗器（第１の可変抵抗器）１５４の一端が接続され、シールドグランド１５３には可変抵抗器（第２の可変抵抗器）１５５の一端が接続される。可変抵抗器１５４，１５５の各他端が所定の電位に電気的に接続される。本実施の形態では、所定の電位を回路基板１７５上のグランドパターンにおける電位（接地電位）としている。可変抵抗器１５４，１５５の各他端をタッチパネルコントローラ７８と同じグランドに接地することで、動作の安定化が図れる。
【０２２８】
図２９は、筐体２においてシールドグランド１５３が配置された部分の断面を示す図である。同図において、シールドグランド１５３は、その断面が表示部７５及びタッチパネル部７７の周縁部を上下で挟む形状となっている。シールドグランド１５３は、人の指が直接触れることがないように筐体２の内側に配置される。シールドグランド１５２もシールドグランド１５３と同様にその断面が表示部７５及びタッチパネル部７７の周縁部を上下で挟む形状となっており、筐体２の内側に配置される。
【０２２９】
タッチパネル部７７にシールドグランド１５２，１５３を設けることで、これらを設けた部分及びその周辺をそれぞれシールドすることができる。そして、シールドグランド１５２，１５３を設けたそれぞれの部分及びそれぞれの部分の周辺におけるシールドの度合いは、可変抵抗器１５４，１５５の抵抗値で変化する。可変抵抗器１５４，１５５それぞれの抵抗値を小さくするに従い、シールドの度合いが大きくなり、シールドグランド１５２，１５３を設けたそれぞれの部分及びそれぞれの部分の周辺における感度が小さくなる。これにより、タッチパネル部７７のシールドグランド１５２，１５３を設けた部分を手で把持した際に、可変抵抗器１５４，１５５それぞれの抵抗値を小さくすることで、持ち手による影響を抑制することが可能となる。
【０２３０】
なお、図２９において、表示部７５の直下にはタッチパネルコントローラ７８が配置される。タッチパネル部７７は、近接タッチパネルセンサー７７１と、カバーガラス７７２と、粘着剤７７３と、飛散防止フィルム７７４とから構成される。
機器制御部１５１とタッチパネルコントローラ７８は、ＣＰＵ、ＲＯＭ、ＲＡＭ及びインタフェース回路で構成される。該ＲＯＭにはＣＰＵを制御するためのプログラムが記憶されており、該ＲＡＭはＣＰＵの動作において使用される。
【０２３１】
図２７に戻り、持ち手検出部１６２は、タッチパネルモジュール７３による近接検知によって得られる座標信号を基に、電子機器１５０がユーザに把持されているかどうかを判定する。この場合、ユーザが電子機器１５０を把持することで、タッチパネルコントローラ７８からタッチパネル部７７の周縁部の座標信号が出力され、持ち手検出部１６２はこの座標信号を受信することで電子機器１５０がユーザに把持されていると判定する。
【０２３２】
図３０は、持ち手状態の検出方法の一例を示す図である。同図において、持ち手状態の検出は、タッチパネルモジュール７３による近接検知の他に、加速度センサーを使用することでも検出可能である。タッチパネルモジュール７３による近接検知は、容量変化に基づいており、指の接触による容量変化が左右均一の場合を両手操作と判定し、左側の容量が右側の容量より大きい場合を左手操作と判定し、右側の容量が左側の容量より大きい場合を右手操作と判定し、左右の容量変化が無い場合を据え置きと判定する。
【０２３３】
持ち手検出部１６２は、電子機器１５０がユーザに把持されていると判定した場合、可変抵抗器１５４，１５５の抵抗値の設定を行う。図３１は、電子機器１５０の手持ち状態（すなわち把持状態）と可変抵抗器１５４，１５５の抵抗値の一例を示す図である。同図において、両手操作の場合、可変抵抗器１５４，１５５はそれぞれ１ＭΩに設定される。左手操作の場合は、可変抵抗器１５４が０Ωに、可変抵抗器１５５が１ＭΩにそれぞれ設定される。右手操作の場合は、可変抵抗器１５４が１ＭΩに、可変抵抗器１５５が０Ωにそれぞれ設定される。据え置きの場合（電子機器１５０を把持せず、机等に置いた場合）は、可変抵抗器１５４，１５５それぞれがハイインピーダンスに設定される。
【０２３４】
可変抵抗器１５４，１５５の抵抗値を小さくすると、シールドグランド１５２，１５３がグランドレベルに近くなり、シールド効果が大きくなってタッチパネル部７７の反応が鈍くなる。すなわち、可変抵抗器１５４，１５５の抵抗値を小さくすると、シールドグランド１５２，１５３によるシールド効果が大きくなって、ホバー距離（タッチパネル部７７と指との間の距離）が短くなる。
【０２３５】
左手操作の場合、左親指がタッチパネル部７７に影響を与えることから、左側の可変抵抗器１５４の抵抗値を小さくして（例えば、０Ω）、タッチパネル部７７の左側部分のホバー距離を抑える。つまり、タッチパネル部７７の左側部分の反応を鈍くする。右側の可変抵抗器１５５については、抵抗値を中程度（例えば、１ＭΩ）にして、左親指先端部による操作をある程度できるようにする。右手操作の場合、右親指がタッチパネル部７７に影響を与えることから、右側の可変抵抗器１５５の抵抗値を小さくして（例えば、０Ω）、タッチパネル部７７の右側部分のホバー距離を抑える。つまり、タッチパネル部７７の右側部分の反応を鈍くする。左側の可変抵抗器１５４については、抵抗値を中程度（例えば、１ＭΩ）にして、右親指先端部による操作をある程度操作できるようにする。両手操作の場合、左右両側の可変抵抗器１５４，１５５の抵抗値をそれぞれ中程度（例えば、１ＭΩ）にして、電子機器１５０を把持することによる影響を抑制する。据え置きの場合、電子機器１５０を把持する指の影響を受けないことから、左右両側の可変抵抗器１５４，１５５の抵抗値をそれぞれハイインピーダンスにして、シールドグランド１５２，１５３及びそれらの周辺のホバー距離を向上させる。
【０２３６】
持ち手の様々な形態における可変抵抗器１５４，１５５の抵抗値は、以下のように設定すると良い。
（１）所定の操作状態では、可変抵抗器１５４の抵抗値を第１の抵抗値に設定し、可変抵抗器１５５の抵抗値を第１の抵抗値より大きい第２の抵抗値に設定する。
右手で電子機器１５０を把持し、右手の親指等でタッチパネル部７７を操作する操作状態、又は、左手で電子機器１５０を把持し、左手の親指等でタッチパネル部７７を操作する操作状態である。第１の抵抗値は「小」で、０Ωでも良い。第２の抵抗値は「中」で、例えば１ＭΩである。
【０２３７】
（２）所定の操作状態を第１の操作状態とし、第２の操作状態では、可変抵抗器１５４の抵抗値を第２の抵抗値に設定し、可変抵抗器１５５の抵抗値を第１の抵抗値に設定する。
操作状態が、第１の操作状態と第２の操作状態で切り替わるに応じて、可変抵抗器１５４と可変抵抗器１５５の抵抗値が変わるので、第１，第２のいずれの操作状態であってもタッチパネル部７７への影響を抑制することができる。なお、可変抵抗器１５４の抵抗値を第２の抵抗値に設定する際に、第２の抵抗値から少しずれても良い。また、可変抵抗器１５５の抵抗値を第１の抵抗値に設定する際に、第１の抵抗値から少しずれても良い。
【０２３８】
（３）所定の操作状態を第１の操作状態とし、第２の操作状態では、可変抵抗器１５４の抵抗値を第３の抵抗値に設定し、可変抵抗器１５５の抵抗値を第３の抵抗値より小さい第４の抵抗値に設定する。
第３の抵抗値は「中」で例えば１．１ＭΩである。なお、第２の抵抗値と第３の抵抗値は実質的に同じ抵抗値であっても良い。また、第４の抵抗値は「小」で例えば０．１ＭΩである。なお、第１の抵抗値と第４の抵抗値は実施的に同じ抵抗値であっても良い。
【０２３９】
（４）所定の操作状態を第１の操作状態とし、第３の操作状態では、可変抵抗器１５４の抵抗値及び可変抵抗器１５５の抵抗値を第２の抵抗値に設定する。
右手で電子機器１５０を把持し、左手でタッチパネル部７７を操作する操作状態又はその逆である。
【０２４０】
（５） （４）のバリエーションで、所定の操作状態を第１の操作状態とし、第３の操作状態では、可変抵抗器１５４の抵抗値を第５の抵抗値に設定し、可変抵抗器１５５の抵抗値を、第５の抵抗値の所定の倍率である第６の抵抗値に設定する。
第５の抵抗値は例えば０．９ＭΩ、第６の抵抗値は例えば０．９８ＭΩで、実質的には第２の抵抗値と同じである。僅かに異なる場合を想定しており、当然、第５の抵抗値と、第６の抵抗値は、それぞれ、第１の抵抗値よりは大きい。所定の倍率は、例えば０．５倍から２倍の間の倍率である。
【０２４１】
（６）第４の操作状態では、可変抵抗器１５４の抵抗値を、少なくとも第２の抵抗値より大きい第７の抵抗値に設定し、可変抵抗器１５５の抵抗値を第７の抵抗値に設定する。
据え置き状態であり、第７の抵抗値は「大」のハイインピーダンス（遮断）も含む。
上記の第２の抵抗値、第３の抵抗値、第４の抵抗値、第５の抵抗値、第６の抵抗値及び第７の抵抗値の大小関係は、第２の抵抗値＜第７の抵抗値、第３の抵抗値＜第７の抵抗値、第４の抵抗値＜第７の抵抗値、第５の抵抗値＜第７の抵抗値、かつ第６の抵抗値＜第７の抵抗値である。
第７の抵抗値から少しずれても、ハイインピーダンスと見なせる程、インピーダンスが高ければ良い。
【０２４２】
（７）第４の操作状態では、可変抵抗器１５４の抵抗値を、少なくとも第２の抵抗値より大きい第７の抵抗値に設定し、可変抵抗器１５５の抵抗値を、少なくとも第２の抵抗値より大きい第８の抵抗値に設定する。
第７，第８の抵抗値は「大」で例えば１０ＧΩである。第２の抵抗値、第３の抵抗値、第４の抵抗値、第５の抵抗値、第６の抵抗値、第８の抵抗値の大小関係は、第２の抵抗値＜第８の抵抗値、第３の抵抗値＜第８の抵抗値、第４の抵抗値＜第８の抵抗値、第５の抵抗値＜第８の抵抗値、かつ第６の抵抗値＜第８の抵抗値である。
【０２４３】
次に、本実施の形態に係る電子機器１５０の動作を説明する。
図３２は、本実施の形態に係る電子機器１５０の持ち手検出処理を示すフローチャートである。本処理は電子機器１５０の表示がオン状態になっている間に行われる。具体的には、電源オンして表示オンとなったときから省電力モードが動作して表示オフとなるまでの間に行われる。表示のオン・オフの制御は表示処理部１６１が行うものとする。
【０２４４】
図３２において、まず表示処理部１６１が表示オンにする（ステップＳ５０）。表示オン後、持ち手検出部１６２が、持ち手状態を検出し（ステップＳ５１）、両手操作モードかどうか判定する（ステップＳ５２）。両手操作モードである場合（ステップＳ５２の判定で「Ｙｅｓ」と判断した場合）、持ち手検出部１６２は、可変抵抗器１５４，１５５のそれぞれを１ＭΩに設定する（ステップＳ５３）。持ち手検出部１６２が可変抵抗器１５４，１５５のそれぞれを１ＭΩに設定した後、表示処理部１６１が、表示オフかどうか判定し（ステップＳ５４）、表示オフである場合、本処理を終了し、表示オフでない場合、ステップＳ５１に戻る。
【０２４５】
ステップＳ５２の判定で、持ち手検出部１６２が、両手操作モードでないと判断した場合（ステップＳ５２の判定で「Ｎｏ」と判断した場合）、左手操作モードかどうか判定する（ステップＳ５５）。左手操作モードである場合（ステップＳ５５の判定で「Ｙｅｓ」と判断した場合）、持ち手検出部１６２は、可変抵抗器１５４を０Ωに設定し、可変抵抗器１５５を１ＭΩに設定する（ステップＳ５６）。可変抵抗器１５４を０Ωに設定し、可変抵抗器１５５を１ＭΩに設定した後、表示処理部１６１が、表示オフかどうか判定し（ステップＳ５４）、表示オフである場合、本処理を終了し、表示オフでない場合、ステップＳ５１に戻る。
【０２４６】
ステップＳ５５の判定で、持ち手検出部１６２が、左手操作モードでないと判断した場合（ステップＳ５５の判定で「Ｎｏ」と判断した場合）、右手操作モードかどうか判定する（ステップＳ５７）。右手操作モードである場合（ステップＳ５７の判定で「Ｙｅｓ」と判断した場合）、持ち手検出部１６２は、可変抵抗器１５４を１ＭΩに設定し、可変抵抗器１５５を０Ωに設定する（ステップＳ５８）。可変抵抗器１５４を１ＭΩに設定し、可変抵抗器１５５を０Ωに設定した後、表示処理部１６１が、表示オフかどうか判定し（ステップＳ５４）、表示オフである場合、本処理を終了し、表示オフでない場合、ステップＳ５１に戻る。
【０２４７】
ステップＳ５７の判定で、持ち手検出部１６２が、右手操作モードでないと判断した場合（ステップＳ５７の判定で「Ｎｏ」と判断した場合）、据え置きと判断し（ステップＳ５９）、可変抵抗器１５４，１５５のそれぞれを、１ＭΩを大きく超えるハイインピーダンスに設定する（ステップＳ６０）。持ち手検出部１６２が可変抵抗器１５４，１５５のそれぞれをハイインピーダンスに設定した後、表示処理部１６１が、表示オフかどうか判定し（ステップＳ５４）、表示オフである場合、本処理を終了し、表示オフでない場合、ステップＳ５１に戻る。
【０２４８】
このように本実施の形態に係る電子機器１５０によれば、表示部７５に重ねて配置された長方形状のタッチパネル部７７の長手方向の対向する２辺１７０，１７１に設けたシールドグランド１５２，１５３と、一端がシールドグランド１５２に接続され、他端が回路基板１７５上のグランドパターンに接続された可変抵抗器１５４と、一端がシールドグランド１５３に接続され、他端が回路基板１７５上のグランドパターンに接続された可変抵抗器１５５と、タッチパネルモジュール７３による近接検知によって得られる座標信号を基に、電子機器１５０がユーザに把持されているかどうかを判定し、電子機器１５０がユーザに把持されている場合、可変抵抗器１５４，１５５の抵抗値の設定を行う持ち手検出部１６２と、を有し、持ち手検出部１６２は、両手操作の場合、可変抵抗器１５４，１５５それぞれの抵抗値を「中」に設定し、左手操作の場合、可変抵抗器１５４の抵抗値を「小」に、可変抵抗器１５５の抵抗値を「中」にそれぞれ設定し、右手操作の場合、可変抵抗器１５４の抵抗値を「中」に、可変抵抗器１５５の抵抗値を「小」にそれぞれ設定し、据え置きの場合、可変抵抗器１５４，１５５それぞれの抵抗値を「ハイインピーダンス」に設定するので、電子機器１５０における持ち手による影響（すなわち、タッチパネル部７７が反応することによる誤動作）を抑制することができる。
【０２４９】
なお、本実施の形態に係る電子機器１５０では、図３２のフローチャートで示す処理を記述したプログラムをＲＯＭに持たせたが、当該プログラムを、磁気ディスク、光ディスク、光磁気ディスク、フラッシュメモリ等の記憶媒体に格納して配布したり、インターネット等のネットワーク上のサーバ（図示略）に保存するようにして、電気通信回線を利用してダウンロードできるようにしたりすることも可能である。
【０２５０】
図３３は、加速度センサーを使用して持ち手状態を検出する電子機器１５６の概略構成を示すブロック図である。なお、同図において図２７と共通する部分には同一の符号を付けてその説明を省略する。加速度から持ち手状態を検出する電子機器１５６は、加速度検出部１６３を含む機器制御部１５７を有している。機器制御部１５７は、座標処理部１６０、表示処理部１６１、加速度検出部１６３及び持ち手検出部１６４を備える。加速度検出部１６３は、加速度センサー（図示略）を有し、加速度センサーで検出された加速度を持ち手検出部１６４へ出力する。加速度センサーを使用した持ち手状態検出については、前述した図３０を参照されたい。持ち手検出部１６４は、加速度検出部１６３の出力からユーザの電子機器１５０に対する持ち手を検出して可変抵抗器１５４，１５５の抵抗値を切り替える。持ち手の様々な形態における可変抵抗器１５４，１５５の抵抗値の設定は、前述の通りである。
【０２５１】
（実施の形態５）
図３４は、本発明の実施の形態５に係る電子機器の概観を示す正面図である。同図において、本実施の形態に係る電子機器２００は、前述した実施の形態１に係る電子機器１と同様のスマートフォンと呼ばれる携帯無線機であり、四角形状に形成された筐体２０１の前面側の上部にレシーバ２０２が設けられ、レシーバ２０２の下方に静電容量方式のタッチパネルモジュール（タッチパネルに対応）２０３が設けられている。また、タッチパネルモジュール２０３の下方には、３個のファンクションボタン２０４−１〜２０４−３が設けられている。
【０２５２】
図３５は、本実施の形態に係る電子機器２００の概略構成を示すブロック図である。同図において、本実施の形態に係る電子機器２００は、前述したタッチパネルモジュール２０３と、表示部（表示器に対応）２０５と、機器制御部２０６とを備える。タッチパネルモジュール２０３は、タッチパネル部２０７と、その間で送信信号と受信信号の授受を行うタッチパネルコントローラ２０８とから構成される。機器制御部２０６は、タッチパネルモジュール２０３との間で指示体の位置を示す座標信号の授受を行い、また表示部２０５に表示信号を与える。なお、表示部２０５及びタッチパネルモジュール２０３はタッチパネルユニット２０９を構成する。また、機器制御部２０６は、ＣＰＵ（Central Processing Unit）、ＲＯＭ（Read Only Memory）、ＲＡＭ（Random Access Memory）及びインタフェース回路（いずれも図示略）で構成される。該ＲＯＭにはＣＰＵを制御するためのプログラムが記憶されており、該ＲＡＭはＣＰＵの動作において使用される。
【０２５３】
表示部２０５は、四角形状を成し、本実施の形態に係る電子機器２００を操作するための表示や画像等の表示に使用される。表示部２０５には、ＬＣＤ（Liquid Crystal Display）、有機ＥＬ（Electro Luminescence）又は電子ペーパーが用いられる。タッチパネルモジュール２０３は、タッチパネル面に指先が触れることなく所定の範囲の高さでの操作（“ホバー操作”）が可能な静電容量方式を採用したものである。
【０２５４】
タッチパネル部２０７は、表示部２０５と略同じ四角形状を成し、表示部２０５上に重ねて配置される。なお、表示部２０５とタッチパネル部２０７は、筐体２０１の内側に配置されても、外側に配置されても良い。但し、いずれの場合もタッチパネル部２０７は表示部２０５より外側に配置される。また、本実施の形態に係る電子機器２００では、表示部２０５及びタッチパネル部２０７の形状を四角形とするが、それは長方形でもあっても良いし、正方形であっても良い。
【０２５５】
タッチパネル部２０７は、図示せぬ送信電極と受信電極とを備えており、これらが板状の誘電体の下面に離間して配置されている。送信電極にはタッチパネルコントローラ２０８から出力される送信信号に基づく駆動パルスが印加される。送信電極に駆動パルスが印加されることで送信電極から電界が発生する。この電界中に指示体（指やペン等であり、本実施の形態では“指”として扱うこととする）が入ると、送信電極と受信電極の間の電気力線の数が減少し、電気力線の数の変化が受信電極における電荷の変化として現れる。受信電極における電荷の変化に応じた受信信号がタッチパネルコントローラ２０８へ出力される。タッチパネルコントローラ２０８は、機器制御部２０６との間で制御信号の授受を行い、タッチパネル部２０７へ送信信号を出力する。また、タッチパネルコントローラ２０８は、タッチパネル部２０７から出力される受信信号を入力し、入力した受信信号から指を検出し、検出した指の位置（Ｘ，Ｙ，Ｚ）を示す座標信号を機器制御部２０６へ出力する。
【０２５６】
図３６は、タッチパネルコントローラ２０８における指の検出方法を示す図である。同図において、タッチパネルコントローラ２０８は、タッチパネル部２０７から出力される受信信号のレベルに応じた距離（すなわち、タッチパネル部２０７から指先６０までの距離）Ｚａが第１の距離Ｚ０と第２の距離Ｚ１の間にあれば、指先６０を検出する。この際、指先６０のぶれを考慮して、所定時間内における距離の平均値として算出する。図３７は、指先６０とタッチパネル部２０７との間の距離の時間的変化を示す図である。同図に示すように、第１の距離Ｚ０と第２の距離Ｚ１との間において、時刻ｔ１から時刻ｔ２までの間の距離の平均値を算出する。この距離の平均値が第１の距離Ｚ０と第２の距離Ｚ１の間にあれば指先６０を検出する。
【０２５７】
図３５に戻り、機器制御部２０６は、タッチパネルコントローラ２０８から出力される座標信号を取り込み、文字入力処理、文字表示処理等の各種処理を行う。文字表示処理の結果については表示信号として表示部２０５へ出力する。図３４では、Ｅメールを作成するアプリを起動させたときのメール画面を示している。このメール画面には、宛先入力表示領域３００、件名入力表示領域３０１及び入力表示領域３０２があり、これらの表示領域３００〜３０２がタッチパネル部２０７に設定されている。なお、入力表示領域３０２の表示位置は固定で良いが、変化させることができるようにしても良い。
【０２５８】
表示部２０５には、テンキー４５１、カーソルキー４５２及びテンキー４５１より入力された文字（“かな文字”、“英字”、“数字”）がそれぞれ表示される。カーソルキー４５２は、入力文字種を表示するものであり、表示部２０５の左上隅に表示される。なお、カーソルキー４５２は、表示部２０５の所定の領域に対応する。また、カーソルキー４５２はアイコンである。カーソルキー４５２をアイコン表示することで、文字入力の操作性向上が図れる。
【０２５９】
テンキー４５１は、カーソルキー４５２に関連する情報である入力文字候補をテンキー形式で表示するものであり、カーソルキー４５２の近傍に表示される。図３４では、入力文字種として“かな文字”が選択された場合のテンキー４５１が示されており、「あ、か、さ、た、…」が入力文字候補として表示されている。カーソルキー４５２及びテンキー４５１のそれぞれに対応する領域もタッチパネル部２０７に設定されている。タッチパネル部２０７のカーソルキー４５２に対応する領域を指先６０でタッチすることで、入力文字種の選択が可能となる。入力文字種の選択後、指先６０をカーソルキー４５２の直上方向へ移動させることでテンキー４５１が表示される。この場合、上述したように、テンキー４５１はカーソルキー４５２の近傍に表示される。入力文字候補をテンキー形式で表示することで、文字入力の操作性向上が図れる。
【０２６０】
図３８は、本実施の形態に係る電子機器２００における入力文字種の選択からテンキーサイズ（大きさ）の選択までの操作を示す図である。また、図３９は、本実施の形態に係る電子機器２００における入力文字種の選択操作及びテンキーサイズの選択操作の手順を示すフローチャートである。図３８及び図３９において、カーソルキー４５２に指先６０をタッチすることで（ステップＳ７０）、“かな”、“英字”及び“数字”の入力文字種が表示される。この状態で、指先６０を水平方向に移動させてタッチすることで、所望の入力文字種を選択することができる（ステップＳ７１）。“かな”、“英字”及び“数字”の入力文字種はカーソルキー４５２の直近に表示される。所望の入力文字種の選択後、カーソルキー４５２の直上方向へ指先６０を離して行くと、最初に、標準サイズのテンキー４５１がカーソルキー４５２の近傍に表示される（ステップＳ７２）。その後更に指先６０を離して行き、タッチパネル部２０７と指先６０との間の距離Ｚが距離Ｚａを超えると、標準サイズのテンキー４５１から拡大サイズのテンキー４５１に表示が切り替わる（ステップＳ７３）。
【０２６１】
拡大サイズのテンキー４５１は、距離Ｚｂまで継続する。すなわち、カーソルキー４５２の直上で、タッチパネル部２０７と指先６０との間の距離Ｚが、０＜Ｚ≦Ｚａの範囲内では標準サイズのテンキー４５１が表示され、Ｚａ＜Ｚ≦Ｚｂの範囲内では拡大サイズのテンキー４５１が表示される。このように、カーソルキー４５２の直上方向に指先６０を離して行くと、テンキー４５１のサイズが２段階で変化する。指先６０をカーソルキー４５２から離した後、近づけて行くことで、拡大サイズのテンキー４５１から標準サイズのテンキー４５１に表示が切り替わる。すなわち、指先６０の上下動に応じてテンキー４５１のサイズが標準から拡大、拡大から標準に切り替わる。テンキー４５１のサイズを変更する手段を有することで、所望の大きさの情報を容易に選択することができ、文字入力の操作性向上が図れる。
【０２６２】
なお、カーソルキー４５２から指先６０を離した後は、必ずしもカーソルキー４５２の直上方向に指先６０を移動させる必要はなく、ずれていても構わない。すなわち、指先６０がカーソルキー４５２の領域内に入っていなくても良い。
【０２６３】
図４０は、本実施の形態に係る電子機器２００における入力文字種の選択から文字入力までの操作を示す図である。同図において、入力文字種の選択からテンキーサイズの選択までの操作は、前述した通りであるので、その説明を省略し、テンキーサイズ選択後の操作について説明する。なお、入力文字種の選択処理はモード〔１〕、テンキーサイズの選択処理はモード〔２〕とする。また、モード〔２〕において、テンキー４５１中の「戻る」キーをタッチすると、モード〔１〕に戻り、再度入力文字種の選択が可能となる。
【０２６４】
モード〔２〕に続くモード〔３〕はテンキー４５１のサイズを固定する処理である。図４０では、かな文字を選択している状態を示している。かな文字を選択しているカーソルキー４５２を下に見た状態で指先６０を水平方向へ移動させると、テンキー４５１のサイズが固定される。この場合、標準サイズのテンキー４５１を選択している状態で、指先６０を水平方向へ移動させることで標準サイズのテンキー４５１が固定される。また、拡大サイズのテンキー４５１を選択している状態で、指先６０を水平方向へ移動させることで拡大サイズのテンキー４５１が固定される。このようにしてテンキー４５１のサイズを固定した後、テンキー４５１より文字入力を行う。文字入力における処理はモード〔４〕となる。テンキー４５１のサイズを固定できる手段を有することで、文字入力の操作性向上が図れる。
【０２６５】
モード〔４〕において、例えばテンキー４５１の“な”の文字を指先６０でタッチすると、テンキー４５１の表示が一時的に消えて、タッチ位置を中心とする周囲に、な行の文字列（“な”，“に”，“ぬ”，“ね”，“の”）が表示される。な行の文字列が表示されている状態で、所望の文字（例えば“ぬ”）をタッチすると、当該文字の入力が決定される。決定された文字は入力表示領域３０２に表示される。続いて他の文字を入力する場合、同様の操作を行う。例えば、“ま”の文字を入力する場合、“ぬ”の文字から指先６０を離すことでテンキー４５１が現れるので、テンキー４５１内の“ま”の文字をタッチする。これにより、テンキー４５１の表示が一時的に消えて、タッチ位置を中心とする周囲に、ま行の文字列（“ま”，“み”，“む”，“め”，“も”）が表示される。ま行の文字列が表示されている状態で、所望の文字（例えば“ま”）をタッチすると、当該文字の入力が決定されて、当該文字が入力表示領域３０２に表示される。このようにして文字入力を行うことができる。
【０２６６】
図４１は、本実施の形態に係る電子機器２００の文字入力処理を示すフローチャートである。本処理は、主に機器制御部２０６で行われる。同図において、機器制御部２０６は、文字入力を開始すると（ステップＳ８０）、カーソルキー４５２に指先６０がタッチされたかどうか判定する（ステップＳ８１）。カーソルキー４５２に指先６０がタッチされていない場合（すなわち、ステップＳ８０の判定で「ＮＯ」と判断した場合）、カーソルキー４５２に指先６０がタッチされるまで本判定を繰り返す。これに対し、カーソルキー４５２に指先６０がタッチされた場合（すなわち、ステップＳ８０の判定で「ＹＥＳ」と判断した場合）、入力文字種を選択する（ステップＳ８２）。すなわち、“かな文字”、“英字”及び“数字”のうち、ユーザが指定した入力文字種を選択する。この場合、どの入力文字種が指定されたかはタッチパネルコントローラ２０８から出力される座標信号を基に判断する。
【０２６７】
機器制御部２０６は、入力文字種を選択した後、カーソルキー４５２から指先６０が離れたかどうか判定する（ステップＳ８３）。カーソルキー４５２から指先６０が離れていない場合（すなわち、ステップＳ８３の判定で「ＮＯ」と判断した場合）、カーソルキー４５２から指先６０が離れるまで本判定を繰り返す。これに対し、カーソルキー４５２から指先６０が離れた場合（すなわち、ステップＳ８３の判定で「ＹＥＳ」と判断した場合）、カーソルキー４５２から指先６０までの距離Ｚが０＜Ｚ≦Ｚａであるかどうか判定する（ステップＳ８４）。すなわち、機器制御部２０６は、タッチパネルコントローラ２０８から出力された座標信号のＺ座標の信号値よりカーソルキー４５２から指先６０までの距離Ｚを求めて距離判定を行う。この判定において、距離Ｚが０＜Ｚ≦Ｚａである場合（すなわち、ステップＳ８４の判定で「ＹＥＳ」と判断した場合）、テンキー４５１を標準サイズで表示する表示信号を表示部２０５へ出力する（ステップＳ８５）。これに対し、距離Ｚが０＜Ｚ≦Ｚａでない場合（すなわち、ステップＳ８４の判定で「Ｎｏ」と判断した場合）、カーソルキー４５２から指先６０までの距離ＺがＺａ＜Ｚ≦Ｚｂであるかどうか判定する（ステップＳ８６）。この判定において、距離ＺがＺａ＜Ｚ≦Ｚｂでない場合（すなわち、ステップＳ８６の判定で「ＮＯ」と判断した場合）、前述したステップＳ８４に戻る。これに対し、距離ＺがＺａ＜Ｚ≦Ｚｂである場合（すなわち、ステップＳ８６の判定で「ＹＥＳ」と判断した場合）、テンキー４５１を拡大サイズで表示する表示信号を表示部２０５へ出力する（ステップＳ８７）。
【０２６８】
機器制御部２０６は、テンキー４５１を標準サイズで表示する処理を行った場合、その処理後、指先６０がカーソルキー４５２からテンキー４５１へスライドしたかどうか判定する（ステップＳ８８）。この判定において、テンキー４５１へスライドしていない場合（すなわち、ステップＳ８８の判定で「ＮＯ」と判断した場合）、テンキー４５１へスライドされるまで本判定を繰り返す。これに対し、指先６０がテンキー４５１へスライドした場合（すなわち、ステップＳ８８の判定で「ＹＥＳ」と判断した場合）、ステップＳ９０の処理を行う。
【０２６９】
また、機器制御部２０６は、テンキー４５１を拡大サイズで表示する処理を行った場合、その処理後、指先６０がカーソルキー４５２からテンキー４５１へスライドしたかどうか判定する（ステップＳ８９）。この判定において、テンキー４５１へスライドしていない場合（すなわち、ステップＳ８９の判定で「ＮＯ」と判断した場合）、テンキー４５１へスライドされるまで本判定を繰り返す。これに対し、指先６０がテンキー４５１へスライドした場合（すなわち、ステップＳ８９の判定で「ＹＥＳ」と判断した場合）、ステップＳ９０の処理を行う。
【０２７０】
ステップＳ９０では、テンキー４５１の「戻る」キーがタッチされたかどうか判定する。この判定において、テンキー４５１の「戻る」キーがタッチされた場合（すなわち、ステップＳ９０の判定で「ＹＥＳ」と判断した場合）、ステップＳ８２に戻り、ステップＳ８２の以降の処理を行う。これに対し、テンキー４５１の「戻る」キーがタッチされていない場合（すなわち、ステップＳ９０の判定で「ＮＯ」と判断した場合）、テンキー４５１の大きさを固定する（ステップＳ９１）。すなわち、テンキー４５１を標準サイズ又は拡大サイズに固定する。
【０２７１】
機器制御部２０６は、テンキー４５１のサイズを固定した後、フリック入力処理を行う（ステップＳ９２）。すなわち、ユーザのフリック操作による文字入力を行う。例えば、ユーザが、かな文字設定して、な行を選択した後、“ぬ”を選択した場合、“ぬ”の文字入力を行う。機器制御部２０６は、文字入力を行った後、当該文字を確定する（ステップＳ９３）。次いで、フリック入力終了かどうか判定し（ステップＳ９４）、フリック入力終了でない場合（すなわち、ステップＳ９４の判定で「ＮＯ」と判断した場合）、ステップＳ９２に戻り、再度フリック入力処理を行う。これに対し、フリック入力終了の場合（すなわち、ステップＳ９４の判定で「ＹＥＳ」と判断した場合）、本処理を終える。
【０２７２】
このように本実施の形態に係る電子機器２００によれば、表示部２０５に、入力文字種を表示するカーソルキー４５２及びカーソルキー４５２の近傍に入力文字候補をテンキー形式で表示するテンキー４５１をそれぞれ表示し、テンキー４５１においては、指先６０をカーソルキー４５２にタッチした後、指先６０をカーソルキー４５２から離した場合に表示するようにし、さらに、タッチパネル部２０７と指先６０との間の距離Ｚが０＜Ｚ≦Ｚａである場合、テンキー４５１を標準サイズで表示し、距離ＺがＺａ＜Ｚ≦Ｚｂである場合、テンキー４５１を拡大サイズで表示するようにしたので、所望の大きさのテンキー４５１を自由に選択できることによる文字入力の操作性向上が図れる。さらに、表示部２０５に、テンキー４５１と、このテンキー４５１により入力された文字が表示されることから、文字入力と表示文字の確認のための視線移動が低減し、文字入力の操作性向上が図れる。
【０２７３】
なお、本実施の形態に係る電子機器２００では、入力文字候補として複数の文字をテンキー形式で表示するようにしたが、１つの文字を表示するようにしても良い。
【０２７４】
また、本実施の形態に係る電子機器２００では、タッチパネル部２０７と指先６０との間の距離に応じてテンキー４５１のサイズを変更するように、情報の大きさを変化させるようにしたが、情報自体を変化させるようにしても良い。例えば、「あ、い、う、え、お」を「か、き、く、け、こ」に変化させる。
【０２７５】
また、本実施の形態に係る電子機器２００では、その動作において、テンキー４５１やカーソルキー４５２にタッチすることを前提としているが（すなわち、接触を契機としているが）、タッチと見なすことができるまで接近した場合も含めても良い。例えば、指先６０をカーソルキー４５２にタッチした後、カーソルキー４５２から指先６０を離すことでテンキー４５１を表示するようにしたが、カーソルキー４５２にタッチしたと見なせるまで指先６０が接近した後、カーソルキー４５２から指先６０を離すことでテンキー４５１を表示するようにしても良い。
【０２７６】
また、本実施の形態に係る電子機器２００は、スマートフォンと呼ばれる携帯無線機であったが、この種の電子機器に限定されるものではなく、ゲーム機、テレビ、電子レンジ、洗濯機、冷蔵庫、カーナビゲーション、カーナビゲーションを備えた自動車、ホームエネルギーマネジメントシステム（ＨＥＭＳ）端末装置、ホームエネルギーマネジメントシステム（ＨＥＭＳ）端末装置を備えた家、ＡＴＭ（Automated Teller Machine）等であっても良い。
【０２７７】
また、本実施の形態に係る電子機器２００では、図４１のフローチャートで示す処理を記述したプログラムをＲＯＭに持たせたが、当該プログラムを、磁気ディスク、光ディスク、光磁気ディスク、フラッシュメモリ等の記憶媒体に格納して配布したり、インターネット等のネットワーク上のサーバ（図示略）に保存するようにして、電気通信回線を利用してダウンロードできるようにしたりすることも可能である。
【０２７８】
本発明を詳細にまた特定の実施態様を参照して説明したが、本発明の精神と範囲を逸脱することなく様々な変更や修正を加えることができることは当業者にとって明らかである。
【０２７９】
本出願は、２０１１年１２月１６日出願の日本特許出願（特願２０１１−２７６１７５）、２０１２年３月２８日出願の日本特許出願（特願２０１２−０７４７２１）、２０１２年４月４日出願の日本特許出願（特願２０１２−０８５７５０）、２０１２年４月１９日出願の日本特許出願（特願２０１２−０９５８７９）、及び２０１２年６月４日出願の日本特許出願（特願２０１２−１２７２９０）に基づくものであり、その内容はここに参照として取り込まれる。
【産業上の利用可能性】
【０２８０】
本発明は、静電容量方式のタッチパネルであって、機器本体を持ったときの持ち手部分の手の影響を抑えることができるといった効果を有し、スマートフォン等の静電容量方式のタッチパネルを用いた電子機器への適用が可能である。
【符号の説明】
【０２８１】
１  電子機器
２  筐体
３  レシーバ
４  液晶表示部
５  タッチパネル部
５−１  受信センサーパネル
５−１ａ  受信電極
５−１ｂ  送信電極
５−２  送信センサーパネル
５−２ｃ  送信電極
６  タッチパネルモジュール
７  タッチパネルユニット
７−１〜７−３  ファンクションボタン
８  タッチパネルコントローラ
９  機器制御部
２０  カバーパネル
２１  バックライト部
２２  電池部
３０  表示
４０  電子機器
４１  筐体
４２  レシーバ
４３  タッチパネルモジュール
４４−１，４４−２，４４−３  ファンクションボタン
４５  表示部
４６  機器制御部
４７  タッチパネル部
４８  タッチパネルコントローラ
４９  タッチパネルユニット
５０  宛先入力表示領域
５１  件名入力表示領域
５２  入力表示領域
５３  文字種選択キー表示領域
５４  文字種選択キー
６０  指先
５３１  かな文字入力キー表示領域
５３２  数字入力キー表示領域
５３３  英字入力キー表示領域
５３４  記号入力キー表示領域
５３５  絵文字入力キー表示領域
５４１  かな文字入力キー
５４２  数字入力キー
５４３  英字入力キー
５４４  記号入力キー
５４５  絵文字入力キー
５５０〜５６９  第２の表示領域
７０  電子機器
７１  筐体
７３  タッチパネルモジュール
７５  表示部
７６  機器制御部
７７  タッチパネル部
７７−１  受信センサーパネル
７７−２  送信センサーパネル
７８  タッチパネルコントローラ
７９  タッチパネルユニット
８０  把持判定部
８１  フィードバック切替部
８２  視覚／聴覚フィードバック部
９０  振動フィードバック素子
９０ａ  バイブレータ
９０ｂ  振動アクチュエータ
９０ｃ  ピエゾアクチュエータ
９１  スピーカ
７０１  アイコン
７０２  所定の表示
１５０  電子機器
１５１  機器制御部
１５２，１５３  シールドグランド
１５４，１５５  可変抵抗器
１６０  座標処理部
１６１  表示処理部
１６２  持ち手検出部
１７０  第１の辺
１７１  第２の辺
１７５  回路基板
７７１  近接タッチパネルセンサー
７７２  カバーガラス
７７３  粘着剤
７７４  飛散防止フィルム
２００  電子機器
２０１  筐体
２０２  レシーバ
２０３  タッチパネルモジュール
２０４−１〜２０４−３  ファンクションボタン
２０５  表示部
２０６  機器制御部
２０７  タッチパネル部
２０８  タッチパネルコントローラ
２０９  タッチパネルユニット
３００  宛先入力表示領域
３０１  件名入力表示領域
３０２  入力表示領域
４５１  テンキー
４５２  カーソルキー
【図１】
0005642902.tif 000002
【図２】
0005642902.tif 000003
【図３】
0005642902.tif 000004
【図４】
0005642902.tif 000005
【図５】
0005642902.tif 000006
【図６】
0005642902.tif 000007
【図７】
0005642902.tif 000008
【図８】
0005642902.tif 000009
【図９】
0005642902.tif 000010
【図１０】
0005642902.tif 000011
【図１１】
0005642902.tif 000012
【図１２】
0005642902.tif 000013
【図１３】
0005642902.tif 000014
【図１４】
0005642902.tif 000015
【図１５】
0005642902.tif 000016
【図１６】
0005642902.tif 000017
【図１７】
0005642902.tif 000018
【図１８】
0005642902.tif 000019
【図１９】
0005642902.tif 000020
【図２０】
0005642902.tif 000021
【図２１】
0005642902.tif 000022
【図２２】
0005642902.tif 000023
【図２３】
0005642902.tif 000024
【図２４】
0005642902.tif 000025
【図２５】
0005642902.tif 000026
【図２６】
0005642902.tif 000027
【図２７】
0005642902.tif 000028
【図２８】
0005642902.tif 000029
【図２９】
0005642902.tif 000030
【図３０】
0005642902.tif 000031
【図３１】
0005642902.tif 000032
【図３２】
0005642902.tif 000033
【図３３】
0005642902.tif 000034
【図３４】
0005642902.tif 000035
【図３５】
0005642902.tif 000036
【図３６】
0005642902.tif 000037
【図３７】
0005642902.tif 000038
【図３８】
0005642902.tif 000039
【図３９】
0005642902.tif 000040
【図４０】
0005642902.tif 000041
【図４１】
0005642902.tif 000042
【図４２】
0005642902.tif 000043
【図４３】
0005642902.tif 000044
【図４４】
0005642902.tif 000045